(57)【要約】  トラヒックチャネル上でリバースリンク電力を制御することを容易にするシステムおよび方法を記述する。リバースリンク通信に対する割当をもたらすことができる。近隣のセクタにおける移動デバイスからの干渉を監視でき、他のセクタの干渉（ＯＳＩ）表示をブロードキャストできる。移動デバイスによりＯＳＩ表示を取得して、デルタベースの電力制御に用いられるデルタ値を変更できる。さらに、デルタ値の、許容できる最大の低減量をＱｏＳクラスごとに割り振ることができる。さらに、移動デバイスは、将来の割当に対して活用できる帯域内および帯域外のフィードバックを提供できる。
2010512068.tif 000002
【特許請求の範囲】
【請求項１】
ワイヤレス通信環境中でリバースリンク電力を制御することを容易にする方法において、
サービス品質（ＱｏＳ）クラスに基づいて、デルタ値の調整に対する限度を割り当てることと、
少なくとも１つのサーブされている移動デバイスにリバースリンク割当を送信することと、
近隣セクタにおける移動デバイスからのリバースリンク干渉を監視することと、
他のセクタの干渉（ＯＳＩ）表示をブロードキャストして、前記近隣セクタにおける移動デバイスのリバースリンク電力レベルを調整することとを含む方法。
【請求項２】
前記デルタ値の調整に対する限度は、ＱｏＳクラスごとに割り当てられるＭａｘＤｅｌｔａＲｅｄｕｃｔｉｏｎ値である請求項１記載の方法。
【請求項３】
割り当てられたＤａｔａＣｔｏＩ値とともに前記ＭａｘＤｅｌｔａＲｅｄｕｃｔｉｏｎ値を用いて、送信デルタ値の範囲を決定する請求項２記載の方法。
【請求項４】
前記ＭａｘＤｅｌｔａＲｅｄｕｃｔｉｏｎ値は半静的である請求項２記載の方法。
【請求項５】
前記ＭａｘＤｅｌｔａＲｅｄｕｃｔｉｏｎ値は、混合フローに対するパケット内の最も低いＱｏＳクラスに対応する請求項２記載の方法。
【請求項６】
前記リバースリンク割当は、目標のＨＡＲＱの終了に基づいて選択される、割り当てられたＤａｔａＣｔｏＩ値を含む請求項１記載の方法。
【請求項７】
ＨＡＲＱ再送の最初に割り振られた数内でパケットのデコードができないことを認識することと、
パケット損失を緩和するためにＨＡＲＱ再送の数を拡張するメッセージを特定のサーブされている移動デバイスに送ることとをさらに含む請求項１記載の方法。
【請求項８】
特定のサーブされている移動デバイスによって用いられるブーストプロファイルを割り当てて、後のＨＡＲＱ再送に関係するリバースリンク送信電力スペクトル密度（ＰＳＤ）を順次増加させることをさらに含む請求項１記載の方法。
【請求項９】
前記リバースリンク割当は、割当インターレース上で現在のデルタ値を用いるように前記少なくとも１つのサーブされている移動デバイスに指示する予約値を含む請求項１記載の方法。
【請求項１０】
帯域内または帯域外のうちの１つ以上で伝達される、前記少なくとも１つのサーブされている移動デバイスからのフィードバックを受信することをさらに含む請求項１記載の方法。
【請求項１１】
ワイヤレス通信装置において、
サービス品質（ＱｏＳ）クラスに基づいて、デルタ値の調整に対する限度を割り当てることと、サーブされている移動デバイスにリバースリンク割当を送ることと、近隣セクタにおける移動デバイスからのリバースリンク干渉を測定することと、他のセクタの干渉（ＯＳＩ）表示をブロードキャストして、前記近隣セクタにおける移動デバイスのリバースリンク電力レベルを変更することとに関連する命令を保持するメモリと、
前記メモリに結合され、前記メモリ中に保持されている命令を実行するように構成されているプロセッサとを具備するワイヤレス通信装置。
【請求項１２】
前記デルタ値の調整に対する限度は、ＱｏＳクラスごとに割り当てられるＭａｘＤｅｌｔａＲｅｄｕｃｔｉｏｎ値であり、近隣セクタからの取得したＯＳＩ表示に応答して、関係付けられたデルタ値を前記サーブされている移動デバイスが低減させることが許容される最大量を前記ＭａｘＤｅｌｔａＲｅｄｕｃｔｉｏｎ値が提供する請求項１１記載のワイヤレス通信装置。
【請求項１３】
前記割当に含まれる割り当てられたＤａｔａＣｔｏＩ値とともに前記ＭａｘＤｅｌｔａＲｅｄｕｃｔｉｏｎ値を利用して、送信デルタ値の範囲を識別する請求項１２記載のワイヤレス通信装置。
【請求項１４】
前記ＭａｘＤｅｌｔａＲｅｄｕｃｔｉｏｎ値は、複数のＱｏＳクラスに関係付けられたパケット内の最も低いＱｏＳクラスに関連している請求項１２記載のワイヤレス通信装置。
【請求項１５】
前記メモリは、ＨＡＲＱ再送の最初に割り振られた数内で前記サーブされている移動デバイスからのパケットをデコードできないことを認識し、前記サーブされている移動デバイスに信号を送信して、ＨＡＲＱ再送の数を増加させる命令をさらに保持する請求項１１記載のワイヤレス通信装置。
【請求項１６】
前記メモリは、前記サーブされている移動デバイスによって用いられるブーストプロファイルを割り当てて、後のＨＡＲＱ再送に関係するリバースリンク送信電力スペクトル密度（ＰＳＤ）を順次増加させる命令をさらに保持する請求項１１記載のワイヤレス通信装置。
【請求項１７】
前記メモリは、前記サーブされている移動デバイスから帯域内または帯域外のフィードバックのうちの少なくとも１つを取得する命令をさらに保持する請求項１１記載のワイヤレス通信装置。
【請求項１８】
前記リバースリンク割当は、割当インターレース上で現在のデルタ値を用いるように前記サーブされている移動デバイスに指示する予約値を含む請求項１１記載のワイヤレス通信装置。
【請求項１９】
ワイヤレス通信環境中で移動デバイスのリバースリンク干渉レベルを制御することを可能にするワイヤレス通信装置において、
ＱｏＳクラスに基づいて、デルタ値の調整限度を割り当てる手段と、
少なくとも１つの移動デバイスにリバースリンク割当を送る手段と、
ＯＳＩ表示をブロードキャストして、監視された干渉に基づいて、近隣の移動デバイスのリバースリンク電力レベルを調整する手段とを具備するワイヤレス通信装置。
【請求項２０】
前記デルタ値の調整限度は、近隣セクタからの取得したＯＳＩ表示に応答して、関係付けられたデルタ値の、許容できる低減の最大量を提供する、ＱｏＳクラスごとに割り当てられるＭａｘＤｅｌｔａＲｅｄｕｃｔｉｏｎ値である請求項１９記載のワイヤレス通信装置。
【請求項２１】
前記ＭａｘＤｅｌｔａＲｅｄｕｃｔｉｏｎ値は、複数の異なるＱｏＳクラスに関係付けられたパケット内の最も低いＱｏＳクラスに対応する請求項２０記載のワイヤレス通信装置。
【請求項２２】
ＨＡＲＱ送信の数を拡張する手段をさらに具備する請求項１９記載のワイヤレス通信装置。
【請求項２３】
前記少なくとも１つの移動デバイスによって用いられるブーストプロファイルを割り当てて、後のＨＡＲＱ再送に関係するリバースリンク電力スペクトル密度（ＰＳＤ）を増加させる手段をさらに具備する請求項１９記載のワイヤレス通信装置。
【請求項２４】
前記少なくとも１つの移動デバイスから帯域内または帯域外のフィードバックのうちの少なくとも１つを受信する手段をさらに具備する請求項１９記載のワイヤレス通信装置。
【請求項２５】
前記リバースリンク割当は、割当インターレース上で現在のデルタ値を利用するように前記少なくとも１つの移動デバイスに指示する予約値を含む請求項１９記載のワイヤレス通信装置。
【請求項２６】
ＱｏＳクラスに基づいて、デルタ値の調整限度を割り当て、
少なくとも１つの移動デバイスにリバースリンク割当を送り、
ＯＳＩ表示をブロードキャストして、監視された干渉に基づいて、近隣の移動デバイスのリバースリンク電力レベルを調整するための、
機械実行可能命令を記憶した機械読み取り可能媒体。
【請求項２７】
前記デルタ値の調整限度は、近隣セクタからの受信したＯＳＩ表示に応答して、関係付けられた送信デルタ値の、許容できる低減の最大量を提供する、ＱｏＳクラスごとに割り当てられるＭａｘＤｅｌｔａＲｅｄｕｃｔｉｏｎ値である請求項２６記載の機械読み取り可能媒体。
【請求項２８】
前記ＭａｘＤｅｌｔａＲｅｄｕｃｔｉｏｎ値は、複数の異なるＱｏＳクラスに関係付けられたパケット内の最も低いＱｏＳクラスに対応する請求項２７記載の機械読み取り可能媒体。
【請求項２９】
前記機械実行可能命令は、ＨＡＲＱ送信の数を拡張することをさらに含む請求項２６記載の機械読み取り可能媒体。
【請求項３０】
前記機械実行可能命令は、前記少なくとも１つの移動デバイスによって用いられるブーストプロファイルを割り当てて、後のＨＡＲＱ再送に関係するリバースリンク電力スペクトル密度（ＰＳＤ）を増加させることをさらに含む請求項２６記載の機械読み取り可能媒体。
【請求項３１】
前記機械実行可能命令は、前記少なくとも１つの移動デバイスから帯域内または帯域外のフィードバックのうちの少なくとも１つを受信することをさらに含む請求項２６記載の機械読み取り可能媒体。
【請求項３２】
前記リバースリンク割当は、割当インターレース上で現在のデルタ値を利用するように前記少なくとも１つの移動デバイスに指示する予約値を含む請求項２６記載の機械読み取り可能媒体。
【請求項３３】
ワイヤレス通信システム中の装置において、
サービス品質（ＱｏＳ）クラスに基づいて、デルタ値の調整に対する限度を割り当て、
少なくとも１つのサーブされている移動デバイスにリバースリンク割当を転送し、
近隣セクタにおける移動デバイスからのリバースリンク干渉を監視し、
他のセクタの干渉（ＯＳＩ）表示をブロードキャストして、前記近隣セクタにおける移動デバイスのリバースリンク電力レベルを調整する、
ように構成されているプロセッサを具備する装置。
【請求項３４】
ワイヤレス通信環境中でリバースリンク電力レベルを制御することを容易にする方法において、
サービス品質（ＱｏＳ）に依存する割当値に基づいて、デルタ調整の範囲を決定することと、
他のセクタの干渉（ＯＳＩ）表示に基づいてデルタ値を評価し、前記デルタ値は前記デルタ調整の範囲内であることと、
前記デルタ値に基づいて送信電力スペクトル密度（ＰＳＤ）を設定することとを含む方法。
【請求項３５】
前記ＱｏＳに依存する割当値は、ＱｏＳクラスごとに割り振られるＭａｘＤｅｌｔａＲｅｄｕｃｔｉｏｎ値である請求項３４記載の方法。
【請求項３６】
複数のＱｏＳクラスに関係付けられたパケット内の最も低いＱｏＳクラスに基づいて前記ＭａｘＤｅｌｔａＲｅｄｕｃｔｉｏｎ値を選択することをさらに含む請求項３５記載の方法。
【請求項３７】
前記デルタ調整の範囲は送信デルタ値の範囲である請求項３４記載の方法。
【請求項３８】
用いられるＨＡＲＱ再送の数を増加させるメッセージを受信することをさらに含む請求項３４記載の方法。
【請求項３９】
所定のパケットに対して以前に実現されたＨＡＲＱ再送の数に基づいて前記送信ＰＳＤを増加させることをさらに含む請求項３４記載の方法。
【請求項４０】
帯域内または帯域外のフィードバックのうちの少なくとも１つをサービングセクタに送ることをさらに含む請求項３４記載の方法。
【請求項４１】
割当中に含まれる予約値を用いて、対応するインターレースおよびサブゾーン上で現在のデルタ値を使用することをさらに含む請求項３４記載の方法。
【請求項４２】
ワイヤレス通信装置において、
サービス品質（ＱｏＳ）に依存する割当値に基づいて、デルタ調整の範囲を識別することと、他のセクタの干渉（ＯＳＩ）表示に基づいてデルタ値を評価し、前記デルタ値は前記デルタ調整の範囲内であることと、前記デルタ値に基づいて送信電力スペクトル密度（ＰＳＤ）を設定することとに関連する命令を保持するメモリと、
前記メモリに結合され、前記メモリ中に保持されている命令を実行するように構成されているプロセッサとを具備するワイヤレス通信装置。
【請求項４３】
前記ＱｏＳに依存する割当値は、近隣セクタからの受信したＯＳＩ表示に応答して、関係付けられた送信デルタ値の、許容できる低減の最大量を提供する、ＱｏＳクラスごとに割り振られるＭａｘＤｅｌｔａＲｅｄｕｃｔｉｏｎ値である請求項４２記載のワイヤレス通信装置。
【請求項４４】
前記メモリは、パケット中に含まれる最も低いＱｏＳクラスに基づいて、用いる前記ＭａｘＤｅｌｔａＲｅｄｕｃｔｉｏｎ値を決定する命令をさらに保持する請求項４３記載のワイヤレス通信装置。
【請求項４５】
前記メモリは、受信したメッセージに基づいてＨＡＲＱ送信の数を拡張することに関連する命令をさらに保持する請求項４２記載のワイヤレス通信装置。
【請求項４６】
所定のパケットに対して以前に実現されたＨＡＲＱ再送の数に基づいて前記送信ＰＳＤを増加させることに関連する命令をさらに保持する請求項４２記載のワイヤレス通信装置。
【請求項４７】
前記メモリは、帯域内フィードバックまたは帯域外のフィードバックのうちの少なくとも１つをサービングセクタに送信することに関連する命令をさらに保持する請求項４２記載のワイヤレス通信装置。
【請求項４８】
前記メモリは、割当中に含まれる予約値に基づいてインターレースおよびサブゾーン上で現在のデルタ値を利用することに関連する命令をさらに保持する請求項４２記載のワイヤレス通信装置。
【請求項４９】
ワイヤレス通信環境中でリバースリンクによって通信するために用いられる電力レベルを調整することを可能にするワイヤレス通信装置において、
ＱｏＳに従属する割当値に基づいてデルタ値の範囲を確立する手段と、
デルタ値に対する調整を評価する手段と、
電力スペクトル密度を設定する手段とを具備し、
前記調整は前記デルタ値の範囲内であるワイヤレス通信装置。
【請求項５０】
前記ＱｏＳに従属する割当値は、ＱｏＳクラスごとに割り当てられるＭａｘＤｅｌｔａＲｅｄｕｃｔｉｏｎ値であり、前記ＭａｘＤｅｌｔａＲｅｄｕｃｔｉｏｎ値は、近隣セクタからの受信したＯＳＩ表示に応答して、関係付けられた送信デルタ値の、許容できる低減の最大量を提供する請求項４９記載のワイヤレス通信装置。
【請求項５１】
複数の異なるＱｏＳクラスに関係付けられたパケット内の最も低いＱｏＳクラスに基づいて、利用する前記ＭａｘＤｅｌｔａＲｅｄｕｃｔｉｏｎ値を決定する手段をさらに具備する請求項５０記載のワイヤレス通信装置。
【請求項５２】
受信したメッセージに基づいてＨＡＲＱ送信の数を拡張する手段をさらに具備する請求項４９記載のワイヤレス通信装置。
【請求項５３】
所定のパケットに対して以前に実現されたＨＡＲＱ再送の数に基づいて前記電力スペクトル密度を増加させる手段をさらに具備する請求項４９記載のワイヤレス通信装置。
【請求項５４】
帯域内または帯域外のフィードバックのうちの少なくとも１つをサービングセクタに送信する手段をさらに具備する請求項４９記載のワイヤレス通信装置。
【請求項５５】
割当中に含まれる予約値に基づいてインターレースおよびサブゾーン上で現在のデルタ値を利用する手段をさらに具備する請求項４９記載のワイヤレス通信装置。
【請求項５６】
ＱｏＳに依存する割当値に基づいてデルタ値の範囲を確立し、
デルタ値に対する調整を評価し、前記調整は前記デルタ値の範囲内であり、
リバースリンク送信に対する電力スペクトル密度を設定するための、
機械実行可能命令を記憶した機械読み取り可能媒体。
【請求項５７】
前記ＱｏＳに従属する割当値は、ＱｏＳクラスごとに割り当てられるＭａｘＤｅｌｔａＲｅｄｕｃｔｉｏｎ値であり、前記ＭａｘＤｅｌｔａＲｅｄｕｃｔｉｏｎ値は、近隣セクタからの受信したＯＳＩ表示に応答して、関係付けられた送信デルタ値の、許容できる低減の最大量を提供する請求項５６記載の機械読み取り可能媒体。
【請求項５８】
前記機械実行可能命令は、パケット内に含まれる最も低いＱｏＳクラスに基づいて、利用する前記ＭａｘＤｅｌｔａＲｅｄｕｃｔｉｏｎ値を選択することをさらに含む請求項５７記載の機械読み取り可能媒体。
【請求項５９】
前記機械実行可能命令は、受信したメッセージに基づいてＨＡＲＱ送信の数を増加させることをさらに含む請求項５６記載の機械読み取り可能媒体。
【請求項６０】
前記機械実行可能命令は、所定のパケットに対して以前に実現されたＨＡＲＱ再送の数に基づいて前記電力スペクトル密度を増加させることをさらに含む請求項５６記載の機械読み取り可能媒体。
【請求項６１】
前記機械実行可能命令は、帯域内または帯域外のフィードバックのうちの１つ以上をサービングセクタに送信することをさらに含む請求項５６記載の機械読み取り可能媒体。
【請求項６２】
前記機械実行可能命令は、割当中に含まれる予約値を用いて、特定のインターレースおよびサブゾーン上で現在のデルタ値を使用することをさらに含む請求項５６記載の機械読み取り可能媒体。
【請求項６３】
ワイヤレス通信システム中の装置において、
サービス品質（ＱｏＳ）に依存する割当値に基づいて、デルタ調整の範囲を識別し、
他のセクタの干渉（ＯＳＩ）表示に基づいてデルタ値を分析し、前記デルタ値は、前記デルタ調整の範囲内であり、
前記デルタ値に基づいて送信電力スペクトル密度（ＰＳＤ）を割り振る、
ように構成されているプロセッサを具備する装置。
【発明の詳細な説明】
【関連出願に対する相互参照】
【０００１】
本出願は、２００６年１１月３０日に出願された“ＬＢＤ ＦＤＤのためのＲＬトラヒック電力制御”と題する米国仮特許出願第６０／８６８，０７６号の利益を主張する。上述の出願の全体は、参照によりここに組み込まれている。
【背景】
【０００２】
Ｉ．分野
以下の記述は一般にワイヤレス通信に関し、より詳細には、ワイヤレス通信システムにおいてデルタベースのリバースリンクトラヒック電力制御と干渉管理とを用いることに関する。
【０００３】
ＩＩ．背景
ワイヤレスネットワーキングシステムは、世界中の大部分の人々が通信するようになった広く行きわたっている手段になっている。ワイヤレス通信デバイスは、消費者のニーズを満たし、携帯性および利便性を向上させるために、より小さく、かつ、より強力になっている。消費者は、セルラ電話機、パーソナルデジタルアシスタント（ＰＤＡ）、およびこれらに類似するもののようなワイヤレス通信デバイスに依存するようになっており、信頼できるサービス、カバレッジエリアの拡張、および機能の増加を要求する。
【０００４】
一般に、ワイヤレス多元接続通信システムは、複数のワイヤレス端末または移動デバイスに対する通信を同時にサポートできる。各移動デバイスは、フォワードリンクおよびリバースリンク上での送信により、１つ以上の基地局と通信する。フォワードリンク（すなわちダウンリンク）は、基地局から移動デバイスへの通信リンクを指し、リバースリンク（すなわちアップリンク）は、移動デバイスから基地局への通信リンクを指す。
【０００５】
利用可能なシステムリソース（例えば、帯域幅および送信電力）を共有することにより、ワイヤレスシステムは、複数のユーザとの通信をサポートできる多元接続システムとなり得る。このような多元接続システムの例は、コード分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムとを含む。
【０００６】
一般に、各基地局は、セクタと呼ばれる特定のカバレッジエリア内に位置している移動デバイスをサポートする。特定の移動デバイスをサポートするセクタは、サービングセクタと呼ばれている。特定の移動デバイスをサポートしていない他のセクタは、非サービングセクタと呼ばれている。複数の移動デバイスの同時のサポートを可能にするために、セクタ内の移動デバイスに特定のリソースを割り振ることができる。そのため、セクタ内の移動デバイスに、直交リソースを割り当てることができることから、セクタ内の移動デバイスは一般に、互いに干渉しない。しかしながら、近隣のセクタにおける移動デバイスによる送信は、調整されないかもしれない。その結果、近隣のセクタ中で動作する移動デバイスによる送信は、移動デバイス性能の干渉および低下を生じさせる可能性がある。
【概要】
【０００７】
１つ以上の実施形態の基本的な理解を提供するために、以下の記述は、そのような実施形態の単純化した概要を与える。この概要は、考えられるすべての実施形態の広範な概観ではなく、すべての実施形態の主なまたは重要な要素を識別するようにも、いくつかのまたはすべての実施形態を詳細に描写するようにも向けられていない。その唯一の目的は、後に与えられるより詳細な説明に対するプレリュードとして、単純化した形態で１つ以上の実施形態のいくつかの概念を与えることである。
【０００８】
１つ以上の実施形態と、それらの対応する開示とにしたがって、トラヒックチャネル上でリバースリンク電力の制御を容易にすることに関して、さまざまな観点を記述する。リバースリンク通信に対する割当を生じさせることができる。近隣のセクタにおける移動デバイスからの干渉を監視でき、他のセクタの干渉（ＯＳＩ）表示をブロードキャストできる。ＯＳＩ表示を移動デバイスにより取得して、デルタベースの電力制御のために用いられるデルタ値を変更できる。さらに、デルタ値の許容できる最大の低減量をＱｏＳクラスごとに割り振ることができる。さらに、移動デバイスは、帯域内および帯域外のフィードバックを提供でき、帯域内および帯域外のフィードバックは、将来の割当のために活用できる。
【０００９】
関連する観点にしたがって、ワイヤレス通信環境中でリバースリンク電力を制御することを容易にする方法をここで記述する。方法は、サービス品質（ＱｏＳ）クラスに基づいて、デルタ値の調整に対する限度を割り当てることを含むことができる。さらに、方法は、少なくとも１つのサーブされている移動デバイスに対してリバースリンク割当を送信することを含むことができる。さらに、方法は、近隣のセクタにおける移動デバイスからのリバースリンク干渉を監視することを含むことができる。方法はまた、他のセクタの干渉（ＯＳＩ）表示をブロードキャストして、近隣のセクタにおける移動デバイスのリバースリンク電力レベルを調節することを含むことができる。
【００１０】
別の観点はワイヤレス通信装置に関する。ワイヤレス通信装置は、サービス品質（ＱｏＳ）クラス基づいて、デルタ値の調整に対する限度を割り当てることと、サーブされている移動デバイスに対してリバースリンク割当を送ることと、近隣セクタにおける移動デバイスからのリバースリンク干渉を測定することと、他のセクタの干渉（ＯＳＩ）表示をブロードキャストして、近隣セクタにおける移動デバイスのリバースリンク電力レベルを変更することとに関連する命令を保持するメモリを含むことができる。さらに、ワイヤレス通信装置は、メモリに結合され、メモリ中に保持されている命令を実行するように構成されているプロセッサを含むことができる。
【００１１】
さらに別の観点は、ワイヤレス通信環境中で移動デバイスのリバースリンク干渉レベルを制御することを可能にするワイヤレス通信装置に関する。ワイヤレス通信装置は、ＱｏＳクラスに基づいて、デルタ値の調整限度を割り当てる手段を含むことができる。さらに、ワイヤレス通信装置は、少なくとも１つの移動デバイスに対してリバースリンク割当を送る手段を含むことができる。さらに、ワイヤレス通信装置は、ＯＳＩ表示をブロードキャストして、監視された干渉に基づいて、近隣の移動デバイスのリバースリンク電力レベルを調節する手段を含むことができる。
【００１２】
さらに別の観点は、ＱｏＳクラス基づいて、デルタ値の調整限度を割り当て、少なくとも１つの移動デバイスに対してリバースリンク割当を送り、ＯＳＩ表示をブロードキャストして、監視された干渉に基づいて、近隣の移動デバイスのリバースリンク電力レベルを調整するための、機械実行可能命令を記憶した機械読み取り可能媒体に関する。
【００１３】
別の観点にしたがうと、ワイヤレス通信システムにおける装置は、プロセッサを含むことができ、プロセッサは、サービス品質（ＱｏＳ）クラス基づいて、デルタ値の調整に対する限度を割り当てるように構成できる。さらに、プロセッサは、少なくとも１つのサーブされている移動デバイスに対してリバースリンク割当を転送するように構成できる。さらに、プロセッサは、近隣のセクタにおける移動デバイスからのリバースリンク干渉を監視するように構成できる。さらに、プロセッサは、他のセクタの干渉（ＯＳＩ）表示をブロードキャストして、近隣のセクタにおける移動デバイスのリバースリンク電力レベルを調整するように構成できる。
【００１４】
他の観点にしたがって、ワイヤレス通信環境中でリバースリンク電力レベルを制御することを容易にする方法をここで記述する。方法は、サービス品質（ＱｏＳ）に依存する割当値に基づいて、デルタ調整の範囲を決定することを含むことができる。さらに、方法は、他のセクタの干渉（ＯＳＩ）表示に基づいてデルタ値を評価することを含むことができ、デルタ値はデルタ調整の範囲内である。さらに、方法は、デルタ値に基づいて送信電力スペクトル密度（ＰＳＤ）を設定することを含むことができる。
【００１５】
さらに、別の観点はワイヤレス通信装置に関し、ワイヤレス通信装置は、サービス品質（ＱｏＳ）に依存する割当値に基づいて、デルタ調整の範囲を識別することと、他のセクタの干渉（ＯＳＩ）表示に基づいてデルタ値を評価し、デルタ値はデルタ調整の範囲内であることと、デルタ値に基づいて送信電力スペクトル密度（ＰＳＤ）を設定することとに関連する命令を保持するメモリを含むことができる。さらに、ワイヤレス通信装置は、メモリに結合され、メモリ中に保持されている命令を実行するように構成されているプロセッサを備えることができる。
【００１６】
別の観点は、ワイヤレス通信環境中でリバースリンクによって、通信するために用いられる電力レベルを調整することを可能にするワイヤレス通信装置に関する。ワイヤレス通信装置は、ＱｏＳに依存する割当値に基づいて、デルタ値の範囲を確立する手段を含むことができる。さらに、ワイヤレス通信装置は、デルタ値に対する調整を評価する手段を含むことができ、調整はデルタ値の範囲内である。さらに、ワイヤレス通信装置は、電力スペクトル密度を設定する手段を含むことができる。
【００１７】
さらに別の観点は、ＱｏＳに依存する割当値に基づいてデルタ値の範囲を確立し、デルタ値に対する調整を評価し、調整はデルタ値の範囲内であり、リバースリンク送信に対する電力スペクトル密度を設定するための、機械実行可能命令を記憶した機械読み取り可能媒体に関する。
【００１８】
別の観点にしたがうと、ワイヤレス通信システムにおける装置は、プロセッサを含むことができ、プロセッサは、サービス品質（ＱｏＳ）に依存する割当値に基づいて、デルタ調整の範囲を識別し、他のセクタの干渉（ＯＳＩ）表示に基づいてデルタ値を分析し、デルタ値はデルタ調整の範囲内であり、デルタ値に基づいて送信電力スペクトル密度（ＰＳＤ）を割り振るように構成できる。
【００１９】
先のおよび関連する目的を達成するために、１つ以上の実施形態は、以下で十分に記述し、特に特許請求の範囲において示す特徴を備えている。以下の記述および添付図面は、１つ以上の実施形態のいくつかの例示的な観点を詳細に示す。これらの観点は、さまざまな実施形態の原理を用いることができるさまざまな方法のうちのほんのいくつかを表すにすぎず、記述する実施形態は、このようなすべての観点およびそれらの均等物を含むように向けられている。
【図面の簡単な説明】
【００２０】
【図１】図１は、ここで与えられる１つ以上の観点にしたがった、例示的なワイヤレス通信システムの説明図である。
【図２】図２は、ここで示すさまざまな観点にしたがった、例示的なワイヤレス通信システムの説明図である。
【図３】図３は、主な開示の観点にしたがってリバースリンクトラヒック電力制御を実現する例示的なワイヤレス通信システムの説明図である。
【図４】図４は、デルタ値ΔとデータＣ／Ｉとの間の例示的なマッピングの説明図である。
【図５】図５は、リバースリンク電力制御と干渉管理とを提供する例示的なシステムの説明図である。
【図６】図６は、リバースリンク送信電力制御を容易にする例示的な方法の説明図である。
【図７】図７は、ワイヤレス通信環境においてリバースリンク電力を制御することを容易にする例示的な方法の説明図である。
【図８】図８は、ワイヤレス通信においてリバースリンク電力制御を実現する例示的な方法の説明図である。
【図９】図９は、リバースリンク電力調整実現する例示的な方法の説明図である。
【図１０】図１０は、ワイヤレス通信環境においてリバースリンク電力レベルを制御することを容易にする例示的な方法の説明図である。
【図１１】図１１は、リバースリンク送信電力制御を容易にする例示的な移動デバイスの説明図である。
【図１２】図１２は、電力制御関連情報を提供することによりリバースリンク電力制御を容易にする例示的なシステムの説明図である。
【図１３】図１３は、ここで記述するさまざまなシステムおよび方法とともに用いることができる例示的なワイヤレスネットワーク環境の説明図である。
【図１４】図１４は、ワイヤレス通信環境において移動デバイスのリバースリンク干渉レベルを制御することを可能にする例示的なシステムの説明図である。
【図１５】図１５は、ワイヤレス通信環境中でリバースリンクによって通信するために用いられる電力レベルを調整することを可能にする例示的なシステムの説明図である。
【詳細な説明】
【００２１】
図面に関連して、さまざまな実施形態をこれから記述し、全体を通して同じ要素に言及するために、同じ参照番号を使用する。以下の記述において、説明のため、１つ以上の実施形態の完全な理解を提供するために、多数の特定の詳細な説明を述べる。しかしながら、これらの特定の詳細な説明なしに、そのような実施形態を実施できることは明白であるかもしれない。他の例において、１つ以上の実施形態を記述することを容易にするために、よく知られている構造およびデバイスをブロック図の形態で示す。
【００２２】
本出願中で使用されるような、用語“コンポーネント”、“モジュール”、“システム”、およびこれらに類似するものは、コンピュータ関連エンティティ、ハードウェア、ファームウェア、ハードウェアとソフトウェアとの組み合わせ、ソフトウェアまたは実行中のソフトウェアを指すように意図されている。例えば、コンポーネントはプロセッサ上で実行するプロセス、プロセッサ、オブジェクト、実行ファイル、実行のスレッド、プログラム、および／またはコンピュータであってもよいが、それだけに限られない。実例として、計算デバイス上で実行するアプリケーションと計算デバイスとの両方をコンポーネントとすることができる。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。また、これらのコンポーネントは、記憶したさまざまなデータ構造を有するさまざまなコンピュータ読み取り可能媒体から実行できる。コンポーネントは、１つ以上のデータパケット（例えば、ローカルシステム中の、分散システム中の別のコンポーネントと相互に対話する、および／またはインターネットのようなネットワークを通して、信号により他のシステムと相互に対話する、１つのコンポーネントからのデータ）を有する信号にしたがうような、ローカルおよび／またはリモートプロセスを通して通信できる。
【００２３】
さらに、移動デバイスに関連して、さまざまな実施形態をここで記述する。移動デバイスは、システム、加入者ユニット、加入者局、移動局、移動、リモート端末、アクセス端末、ユーザ端末、端末、ワイヤレス通信デバイス、ユーザエージェント、ユーザデバイス、またはユーザ機器（ＵＥ）と呼ばれることもある。移動デバイスは、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続機能を有するハンドヘルドデバイス、計算デバイス、またはワイヤレスモデムに接続される他の処理デバイスとすることができる。さらに基地局に関連して、さまざまな実施形態をここで記述する。基地局は、移動デバイスと通信するために利用でき、アクセスポイント、ノードＢ、または他のいくつかの専門用語で呼ばれることもある。
【００２４】
さらに、標準プログラミングおよび／または工学技術を使用する方法、装置、または製造品として、ここで記述するさまざまな観点または特徴を実現できる。ここで使用する用語“製造品”は、任意のコンピュータ読み取り可能デバイス、キャリア、または媒体からアクセス可能なコンピュータプログラムを含むように意図されている。例えば、コンピュータ読み取り可能媒体は、磁気記憶デバイス（例えば、ハードディスク、フロッピー（登録商標）ディスク、磁気ストリップなど）、光ディスク（例えば、コンパクトディスク（ＣＤ）、デジタルバーサタイルディスク（ＤＶＤ）など）、スマートカード、およびフラッシュメモリデバイス（例えば、ＥＰＲＯＭ、カード、スティック、キードライブなど）を含むことができるが、それらに限定されない。さらに、ここで記述するさまざまな記憶媒体は、情報を記憶するための１つ以上のデバイスおよび／または他の機械読み取り可能媒体を表すことができる。用語“機械読み取り可能媒体”は、命令および／またはデータを記憶し、含み、および／または搬送することができるワイヤレスチャネルおよびさまざまな他の媒体を含むことができるが、それらに限定されない。
【００２５】
これから図１を参照すると、ここで与えられるさまざまな観点にしたがったワイヤレス通信システム１００が図示されている。システム１００は、１つ以上の基地局１０２を備えることができ、１つ以上の基地局１０２は、互いにおよび／または１つ以上の移動デバイス１０４に、ワイヤレス通信信号を受信したり、送信したり、中継したりなどする。各基地局１０２は、例えば、各送信および受信アンテナに対して１つのように、複数の送信機チェーンと受信機チェーンとを備えることができ、送信機チェーンおよび受信機チェーンのそれぞれは、信号の送信および受信に関係付けられる複数のコンポーネント（例えば、プロセッサ、変調器、マルチプレクサ、復調器、デマルチプレクサ、アンテナなど）を備えることができる。移動デバイス１０４は、例えば、セルラ電話機、スマート電話機、ラップトップ、ハンドヘルド通信デバイス、ハンドヘルド計算デバイス、衛星ラジオ、全地球測位システム、ＰＤＡ、および／またはワイヤレスシステム１００に対して通信する他の適切な任意のデバイスとすることができる。さらに、各移動デバイス１０４は、複数入力複数出力（ＭＩＭＯ）システムに対して使用されるような、１つ以上の送信機チェーンおよび受信機チェーンを備えることができる。当業者によって理解されるように、各送信機チェーンおよび受信機チェーンは、信号の送信および受信に関係付けられる複数のコンポーネント（例えば、プロセッサ、変調器、マルチプレクサ、復調器、デマルチプレクサ、アンテナなど）を備えることができる。
【００２６】
図１中で図示したように、各基地局１０２は、特定の地理的エリア１０６に対して通信カバレッジを提供する。用語“セル”は、状況次第で、基地局１０２および／またはそのカバレッジエリアを指すことがある。システムの性能を向上させるために、基地局のカバレッジエリアは、（例えば、３つのより小さいエリア１０８Ａ、１０８Ｂ、および１０８Ｃのような）複数のより小さいエリアに分割できる。３つのより小さいエリア１０８を図示しているが、各地理的エリア１０６を任意の数のより小さいエリア１０８に分割できることが考えられる。それぞれのより小さいエリア１０８は、それぞれのベーストランシーバサブシステム（ＢＴＳ）によりサーブされる。用語“セクタ”は、状況次第で、ＢＴＳおよび／またはそのカバレッジエリアを指すことがある。セクタ化されたセルに対して、そのセルのすべてのセクタに対するベーストランシーバサブシステムは一般に、セルに対する基地局内の同じ場所に位置している。
【００２７】
移動デバイス１０４は一般に、システム１００全体にわたって分散している。各移動デバイス１０４は、固定されたもの、または移動性を持ったものとすることができる。各移動デバイス１０４は、任意の所定の時に、フォワードおよびリバースリンク上で１つ以上の基地局１０２と通信できる。
【００２８】
集中型アーキテクチャに対して、システム制御装置１１０が基地局１０２と結合し、基地局１０２の調整および制御を提供する。分散型アーキテクチャに対して、基地局１０２は、必要に応じて互いに通信できる。システム制御装置１１０またはこれに類似するものによる基地局１０２間の通信は、バックホールシグナリングと呼ばれることがある。
【００２９】
ここで記述する技術は、セクタ化されたセルを有するシステム１００に対してだけでなく、セクタ化されていないセルを有するシステムに対しても使用できる。明瞭にするために、以下の記述は、セクタ化されたセルを有するシステムに対するものである。用語“基地局”は一般的に、セクタをサーブする固定局に対してだけでなく、セルをサーブする固定局に対しても使用される。用語“移動デバイス”および“ユーザ”は区別なく使用され、用語“セクタ”および“基地局”もまた、区別なく使用される。サービング基地局／セクタは、移動デバイスがリバースリンクトラヒック送信を有する基地局／セクタである。近隣の基地局／セクタは、移動デバイスがリバースリンクトラヒック送信を有さない基地局／セクタである。例えば、移動デバイスに対してフォワードリンクだけをサーブしている基地局は、干渉管理目的のための近隣のセクタであると考えるべきである。
【００３０】
これから図２を参照すると、ワイヤレス通信システム２００が、ここで与えられるさまざまな実施形態にしたがって図示されている。システム２００は、複数のアンテナグループを含むことができる基地局２０２を備えている。例えば、１つのアンテナグループがアンテナ２０４および２０６を含むことができ、別のグループがアンテナ２０８および２１０を含むことができ、追加のグループがアンテナ２１２および２１４を含むことができる。２つのアンテナが各アンテナグループに対して図示されているが、より多いまたはより少ないアンテナを各グループに対して利用できる。基地局２０２はさらに、送信機チェーンおよび受信機チェーンを含むことができ、当業者によって理解されるように、送信機チェーンおよび受信機チェーンのそれぞれは、信号の送信および受信に関係付けられる複数のコンポーネント（例えば、プロセッサ、変調器、マルチプレクサ、復調器、デマルチプレクサ、アンテナなど）を備えることができる。
【００３１】
基地局２０２は、移動デバイス２１６および移動デバイス２２２のような１つ以上の移動デバイスと通信できる。しかしながら、基地局２０２は、実質的に、移動デバイス２１６および２２２に類似する任意の数の移動デバイスと通信できる。移動デバイス２１６および２２２は、例えば、セルラ電話機、スマート電話機、ラップトップ、ハンドヘルド通信デバイス、ハンドヘルド計算デバイス、衛星ラジオ、全地球測位システム、ＰＤＡ、および／またはワイヤレス通信システム２００に対して通信するための他の任意の適切なデバイスとすることができる。描写したように、移動デバイス２１６は、アンテナ２１２および２１４と通信しており、ここでアンテナ２１２および２１４は、フォワードリンク２１８によって移動デバイス２１６に情報を送信し、リバースリンク２２０によって移動デバイス２１６から情報を受信する。さらに、移動デバイス２２２は、アンテナ２０４および２０６と通信しており、ここでアンテナ２０４および２０６は、フォワードリンク２２４によって移動デバイス２２２に情報を送信し、リバースリンク２２６によって移動デバイス２２２から情報を受信する。例えば、周波数分割複信（ＦＤＤ）システムにおいて、フォワードリンク２１８は、リバースリンク２２０により使用されるものとは異なる周波数帯域を利用でき、フォワードリンク２２４は、リバースリンク２２６により用いられるものとは異なる周波数帯域を用いることができる。さらに、時分割複信（ＴＤＤ）システムにおいて、フォワードリンク２１８およびリバースリンク２２０は、共通の周波数帯域を利用でき、フォワードリンク２２４およびリバースリンク２２６は、共通の周波数帯域を利用できる。
【００３２】
通信するために指定されるアンテナおよび／またはエリアのセットは、基地局２０２のセクタと呼ばれることがある。例えば、複数のアンテナを設計して、基地局２０２によりカバーされるエリアのセクタにおける移動デバイスに対して通信できる。フォワードリンク２１８および２２４に対する通信において、基地局２０２の送信アンテナはビームフォーミングを利用して、移動デバイス２１６および２２２に対するフォワードリンク２１８および２２４の信号対ノイズ比を向上させることができる。さらに、基地局２０２がビームフォーミングを利用して、関連したカバレッジを通してランダムに分散されている移動デバイス２１６および２２２に送信する間に、近隣セルにおける移動デバイスは、単一のアンテナによってすべての移動デバイスに送信する基地局と比較して、より少ない干渉を受け得る。
【００３３】
１つの例にしたがうと、システム２００は、複数入力複数出力（ＭＩＭＯ）通信システムとすることができる。さらに、システム２００は、ＦＤＤ、ＴＤＤおよびこれらに類似するもののような何らかのタイプの複信技術を利用して、通信チャネル（例えば、フォワードリンク、リバースリンク．．．）を分割できる。さらに、システム２００は、情報のブロードキャストを用いて、リバースリンクに対してダイナミックな電力制御を実現できる。図にしたがって、基地局２０２は、フォワードリンク２１８および２２４によって電力制御関連情報を移動デバイス２１６および２２２に送信できる。電力制御関連情報は、移動デバイス２１６および２２２に提供されるリバースリンクデータチャネル割当中に含めることができる。基地局２０２は、他のセクタの干渉表示をブロードキャストできる。例えば、基地局２０２は、スーパーフレームごとに標準的な他のセクタの干渉値をブロードキャストでき、すべてのリバースリンクフレーム上のすべての副帯域に対して、高速な他のセクタの干渉値をブロードキャストできる。基地局２０２によりサーブされていない他のセクタにおける（示していない）移動デバイスに対して、他のセクタの干渉表示をブロードキャストできる。さらに、移動デバイス２１６および２２２は、基地局２０２以外の基地局からブロードキャストされた他のセクタの干渉値を受信する。移動デバイス２１６および２２２はまた、基地局２０２からの割当中に含まれる電力制御関連情報を受信できる。したがって、移動デバイス２１６および２２２は、受信した他のセクタの干渉値と電力制御情報とを用いて、リバースリンクデータチャネル上の電力を調整できる。例えば、移動デバイス２１６および２２２は、高速な他のセクタの干渉値を利用して、リバースリンクデータチャネルの電力スペクトル密度を調節するために用いられる送信デルタ値を維持および調整できる。さらに、移動デバイス２１６および２２２は、標準的な他のセクタの干渉値を用いて、それぞれリバースリンク２２０および２２６によって基地局２０２に伝達できる遅いデルタ値を維持および調整できる。遅いデルタ値は、将来の割当のために提案される値として、基地局２０２によって用いることができる。ここで記述するように、デルタ値は一般に、インターレース（またはフレーム）ごとの、および副帯域またはサブゾーンごとのものとすることができ、ここでサブゾーンは、周波数リソースのサブセットとすることができる。
【００３４】
別の実例にしたがうと、システム２００はＯＦＤＭＡシステムとすることができる。したがって、複数のトラヒックチャネルを定義でき、それによって、各副帯域が任意の所定の時間間隔において１つのトラヒックチャネルに対してだけに使用され、各時間間隔において０個の、１個の、または複数の副帯域を各トラヒックチャネルに割り当てることができる。トラヒックチャネルは、トラヒック／パケットデータを送るために使用されるデータチャネルと、オーバーヘッド／制御データを送るために使用される制御チャネルとを含むことができる。トラヒックチャネルは、物理チャネル、トランスポートチャネル、または他のいくつかの技術用語で呼ばれることがある。
【００３５】
各セクタに対するトラヒックチャネルは、時間および周波数において互いに直交するように規定でき、それにより、（例えば、共通の基地局２０２に関係付けられる）いかなる２つのトラヒックチャネルも任意の所定の時間間隔において同じ副帯域を使用しない。この直交性により、同じセクタ中の複数のトラヒックチャネル上で同時に送られる複数の送信間でセクタ内干渉が回避される。直交性のいくつかの損失が、例えば、搬送波間干渉（ＩＣＩ）や、シンボル間干渉（ＩＳＩ）のようなさまざまな作用から結果として生じることがある。この直交性の損失は、セクタ内干渉をもたらす。各セクタに対するトラヒックチャネルはまた、近くのセクタに対するトラヒックチャネルに対して擬似ランダムであるように規定できる。これは、近くのセクタにおけるトラックチャネルに対して１つのセクタにおけるトラヒックチャネルによりもたらされる、セクタ間の、すなわち“他のセクタ”の干渉をランダム化する。ランダム化されるセクタ内干渉およびセクタ間干渉は、さまざまな方法で達成できる。例えば、周波数ホッピングは、ランダム化されるセクタ内およびセクタ間干渉だけでなく、有害なパス効果に対する周波数ダイバーシティも提供できる。周波数ホッピング（ＦＨ）により、各トラヒックチャネルは特定のＦＨシーケンスに関係付けられ、特定のＦＨシーケンスは、各時間間隔においてトラヒックチャネルのために使用する特定の副帯域を示す。各セクタに対するＦＨシーケンスはまた、近くのセクタに対するＦＨシーケンスに対して擬似ランダムとすることができる。２つのセクタにおける２つのトラヒックチャネル間の干渉は、これらの２つのトラヒックチャネルが同じ時間間隔において同じ副帯域を使用するときはいつでも起こり得る。しかしながら、セクタ間干渉は、異なるセクタに対して使用されるＦＨシーケンスの擬似ランダムの性質によりランダム化される。
【００３６】
データチャネルが任意の所定の時間において１つの移動デバイスだけにより使用されるように、アクティブな移動デバイスに各データチャネルを割り当てることができる。システムリソースを節約して使うために、例えば、コード分割多重化を使用して、複数の移動デバイス間で制御チャネルを共有できる。データチャネルが周波数および時間（コードではない）においてのみ直交するように多重化される場合、データチャネルは、制御チャネルよりもチャネル状態および受信機の不完全性による直交性の損失を受けにくいかもしれない。
【００３７】
したがって、データチャネルは、電力制御に対して適切なものとなり得るいくつかの重要な特性を有する可能性がある。例えば、データチャネル上のセル内干渉は、周波数および時間における直交多重化のために最小にすることができる。さらに、近くのセクタが異なるＦＨシーケンスを使用することからセル間干渉をランダム化できる。所定の移動デバイスによりもたらされるセル間干渉の量は、その移動デバイスにより使用される送信電力レベルと、近隣の基地局に対する移動デバイスの位置とにより決定できる。
【００３８】
データチャネルに対して、許容できるレベル内に、セル内およびセル間干渉を保持しながら、各移動デバイスができるだけ高い電力レベルで送信することが可能であるように、電力制御を実行できる。そのサービング基地局のより近くに位置している移動デバイスは、近隣の基地局にあまり干渉をもたらさないものと考えられることから、この移動デバイスは、より高い電力レベルで送信することが許容され得る。逆に、そのサービング基地局からより離れて、かつ、セクタの端の方に位置している移動デバイスは、近隣の基地局に対してより多くの干渉をもたらす可能性があることから、この移動デバイスは、より低い電力レベルで送信することが許容され得る。この方法で送信電力を制御することにより、“資格のある”移動デバイスがより高いＳＮＲと、それゆえにより高いデータレートとを達成することを可能にしながら、各基地局により観測される全干渉をことによると低減させることができる。
【００３９】
データチャネルに対する電力制御は、さまざまな方法で実行できる。以下の記述は電力制御の例を提供するが、特許請求の範囲に記載された内容はそのように限定されないことを理解すべきである。この例にしたがうと、所定の移動デバイスのためのデータチャネルに対する送信電力は次のように表すことができる。  
Ｐdch（ｎ）＝Ｐref（ｎ）＋ΔＰ（ｎ）                          等式（１）  
ここでＰdch（ｎ）は、更新間隔ｎの、データチャネルに対する送信電力であり、Ｐref（ｎ）は、更新間隔ｎの基準電力レベルであり、ΔＰ（ｎ）は、更新間隔ｎの送信電力デルタである。電力レベルＰdch（ｎ）とＰref（ｎ）と送信電力デルタΔＰ（ｎ）は、デシベルの単位で与えられ得る。送信電力デルタΔＰ（ｎ）はまた、この開示においてデルタと呼ばれることもある。
【００４０】
移動デバイスは、基準電力レベルまたは電力スペクトル密度レベルを維持することができ、（例えば、ｄＢを単位とすることができる）適切なオフセット値を基準レベルに加えることにより、トラヒックチャネル上の移動デバイスの送信電力または電力スペクトル密度を計算できる。このオフセットは通常、デルタ値と呼ばれている。移動デバイスは、１つのデルタ値、２つのデルタ値、またはそれ以上のデルタ値を維持できる。移動デバイスは、デルタ値の範囲を限定することができる。物理チャネルによりもたらされる信号歪みが、直交性の損失と、それゆえにセクタ内干渉とをもたらすケースにおいて、電力制御アルゴリズムは、受信信号のダイナミックレンジ対する要求を考慮に入れ、最大および最小のデルタ値を限定することもできる。そのような最小（Δmin）のおよび最大（Δmax）のデルタ値は、次に、移動デバイスのサービングセクタからブロードキャストされる干渉レベルに関する情報に基づいて調整できる。
【００４１】
基準電力レベルは、（例えば、制御チャネル上の）指定された送信に対する目標の信号品質を達成するために必要とされる送信電力の量である。（例えば、ＳＮＲと表される）信号品質は、信号対ノイズ比、信号対ノイズおよび干渉比などにより定量化できる。ここで記述するように、基準電力レベルおよび目標のＳＮＲを電力制御メカニズムにより調整して、指定された送信に対する所望の性能レベルを達成できる。基準電力レベルが目標のＳＮＲを達成できる場合、データチャネルに対する受信ＳＮＲを次のように推定することができる。  
ＳＮＲdch（ｎ）＝ＳＮＲtarget＋ΔＰ（ｎ）                  等式（２）
等式（２）は、データチャネルおよび制御チャネルが同様の干渉の統計量を有していると仮定できる。例えば、異なるセクタからの制御およびデータチャネルが互いに干渉することがある場合、このことは事実である。基準電力レベルは、以下で記述するように決定できる。
【００４２】
データチャネルに対する送信電力は、例えば、（１）移動デバイスが近隣のセクタにおける他の移動デバイスにもたらすことがあるセクタ間干渉の量や、（２）移動デバイスが同じセクタにおける他の移動デバイスにもたらすことがあるセクタ内干渉の量や、（３）移動デバイスに対して許容される最大電力レベルや、（４）ことによると他の要因、のようなさまざまな要因に基づいて設定できる。
【００４３】
各移動デバイスがもたらすことがあるセクタ間干渉の量は、さまざまな方法で決定できる。例えば、各移動デバイスによってもたらされるセクタ間干渉の量は、それぞれの近隣の基地局により直接推定でき、移動デバイスに送ることができる。移動デバイスは、それに応じて、その送信電力を調整できる。この個別化される干渉報告は、広範囲にわたるオーバヘッドシグナリングを要求することがある。簡単にするために、各移動デバイスがもたらすことがあるセクタ間干渉の量は、それぞれの近隣の基地局により観測される全干渉、サービング基地局および近隣の基地局に対するチャネル利得、移動デバイスにより使用される送信電力レベル、およびこれらに類似するものに基づいて概算できる。
【００４４】
各基地局は、その基地局により観測される干渉の全部のまたは平均の量を推定できる。これは、各副帯域上の干渉電力を推定することと、個々の副帯域に対する干渉電力推定に基づいて平均の干渉電力を計算することとにより達成できる。平均の干渉電力は、例えば、算術平均や、幾何平均や、ＳＮＲベースの平均などのような、さまざまな平均化技術を使用して取得できる。
【００４５】
主題の開示は、loosely backward compatible（ＬＢＣ）周波数分割複信（ＦＤＤ）に対するリバースリンクトラヒックチャネル電力制御に関して詳細な説明を与える。いくつかの観点において、DataCtoIassignedに対する予約値を用いることができ、DataCtoIassignedに対する予約値は、特定のインターレース上で、以前の送信からの調整されたデルタ値の使用を継続することを移動デバイスに指示する。
【００４６】
さらなる実例にしたがうと、DataCtoImin値は、DataCtoIassigned値に対するオフセットに基づいて計算できる。オフセットは、MaxDeltaReductionと呼ばれることがある。さらに、このオフセットは、ＱｏＳクラスごとに規定できる。移動デバイスは、混成フローのケースに対して、パケット内の最も低いＱｏＳクラスに対応する値を使用できる。別の例にしたがうと、オフセットが所定のパケットに対して非常に大きく、パケットがハイブリッド自動再送要求（ＨＡＲＱ）試行の標準の数内に終了しないケースにおいて、基地局はＨＡＲＱの拡張を使用して、パケット誤りを緩和できる。
【００４７】
これから図３に目を向けると、ワイヤレス通信システム３００が図示されており、ワイヤレス通信システム３００は、とりわけ、ブロードキャストされる干渉値の考慮に基づいて、リバースリンク送信電力制御を実現する。システム３００は、移動デバイス３０４（および／または（示していない）任意の数の異なる移動デバイス）と通信する基地局３０２を含んでいる。基地局３０２は、フォワードリンクチャネルによって電力制御関連情報を移動デバイス３０４に送信でき、基地局３０２によってサーブされていない他のセクタ中に位置している移動デバイスに対して他のセクタの干渉値をブロードキャストできる。さらに、基地局３０２は、リバースリンクチャネルによって移動デバイス３０４（および／または（示していない）任意の数の異なる移動デバイス）から情報を受信できる。さらに、システム３００は、ＭＩＭＯシステムとすることができる。
【００４８】
基地局３０２は、スケジューラ３０６と、他のセクタの干渉（ＯＳＩ）ブロードキャスタ３０８と、干渉オフセットブロードキャスタ３１０とを含む。とりわけ、スケジューラ３０６は、移動デバイス３０４に対してチャネル割当を提供する。割当は、チャネルツリーを介して１組のホップのポートを指定するチャネルＩＤを含むことができる。割当はパケットフォーマットを指定することもできる。パケットフォーマットは、割り当てられたリソース上で送信のために用いられるコーディングおよび／または変調とすることができる。さらに、割当が拡張された送信継続時間の割当であることを、ならびに／あるいは割当が既存の割当に取って代わるべきか、または補足すべきかどうかを示すパラメータを、割当は含むことができる。主題の開示の観点にしたがうと、各パケットフォーマットは、データチャネルに対する、関連する最小の搬送波対干渉（Ｃ／Ｉ）値（以下、DataCtoIminと呼ぶ）を有する。DataCtoImin値は、特定のハイブリッド自動再送要求（ＨＡＲＱ）の試行で、ある誤りレートを達成するために要求される最小のＣ／Ｉに対応する。さらに、スケジューラ３０６は、データチャネルに対する、最小および最大のcarrier over thermal値（以下、DataCoTminおよびDataCoTmaxと呼ぶ）を伝達する。これらの値は、移動デバイス３０４に対して基地局３０２のスケジューラ３０６によって発行される割当中に含めることができる。さらに、スケジューラ３０６からの割当は、移動デバイス３０４に割り当てられるデータチャネルに対するＣ／Ｉ値であるDataCtoIassignedを含むことができる。この値は、目標のＨＡＲＱの終了に基づいて選択される。主題の開示の観点にしたがうと、DataCtoIassignedの予約値を用いて、割当インターレース上で現在のデルタ値を利用するように移動デバイスに指示することができる。さらに、スケジューラ３０６は、サービス品質（ＱｏＳ）クラスごとに、最大のデルタ増加値（MaxDeltaIncrease）と最大のデルタ低減値（MaxDeltaReduction）とを決定する。これらの上述のパラメータ（例えば、DataCtoImin、DataCoTmin、DataCoTmax、DataCtoIassigned、ステップサイ
ズ、．．．）は基地局３０２によって割り当てられるが、パラメータは、同じメカニズムによって、または同時に割り当てられる必要がないことを理解すべきである。例えば、DataCoTmin、DataCoTmax、およびステップサイズは、各パケットまたは割当に対して割り当てられる必要がない半静的なパラメータとすることができる。更新が必要な場合は常に、これらのパラメータは上部層メッセージまたはこれに類似するものによって更新できる。
【００４９】
これらの値は、電力制御決定において移動デバイス３０４によって利用できる。例えば、パラメータを用いて、送信デルタ調整の範囲を確立できる。範囲は複数の方法で指定できる。１つの観点にしたがうと、明示のDataCtoIminおよびDataCtoImaxが割り当てられ、利用され、範囲が確立され得る。さらに、例えば、デルタまたはＣ／Ｉ値における最大の減少または増加を指定するパラメータによって、相対的な限度を用いることができる。例として、MaxDeltaIncreaseおよびMaxDeltaReductionのパラメータを利用できる。別の例にしたがうと、MaxCtoIIncrease値およびMaxCtoIReduction値を用いることができる。組み合わせも可能である（例えば、MaxDeltaIncreaseおよびMaxCtoIReduction）ことを理解すべきである。
【００５０】
スケジューラ３０６は、リソース（例えば、チャネル、周波数、帯域幅、．．．）を移動デバイス３０４に割り当てる。スケジューラ３０６を用いる基地局３０２は、さまざまな考慮に基づいて割当の決定を実施する。例えば、割当の決定は、リバース要求チャネル（Ｒ−ＲＥＱＣＨ）によって受信される情報を考慮に入れることができる。要求は、バッファサイズまたはサービス品質（ＱｏＳ）レベルを含むことができる。さらに、スケジューラ３０６は、移動デバイス３０４から受信される他のフィードバック情報に割当の決定を基づかせることができる。スケジューラ３０６は、将来の割当に対して提案される値として機能する遅いデルタ値のような受信フィードバック情報に対処できる。フィードバック情報は、電力増幅器のヘッドルーム、高速ＯＳＩアクティビティの表示、およびこれらに類似するものをさらに含むことができる。
【００５１】
基地局３０２は、ＯＳＩブロードキャスタ３０８をさらに含み、ＯＳＩブロードキャスタ３０８は、基地局３０２によってサーブされていない他のセクタ中の移動デバイスに、他のセクタの干渉情報をブロードキャストする。スーパーフレームごとに、基地局３０２はＯＳＩブロードキャスタ３０８を用いて、標準的なＯＳＩ値を移動デバイスにブロードキャストする。標準的なＯＳＩ値は、前のスーパーフレームの間に観測された平均の干渉を表す。１つより多い前のスーパーフレームを平均することができることを理解すべきである。限定的ではないが、一例として、標準的なＯＳＩ値は、前の３つのスーパーフレームの間に観測された平均の干渉を含むことができる。１つの観点にしたがうと、フォワードリンクＯＳＩパイロットチャネル（Ｆ−ＯＳＩＣＨ）のようなブロードキャストチャネル上で、標準的なＯＳＩ値をブロードキャストできる。さらに、標準的なＯＳＩ表示は、すべてのスーパーフレームのスーパーフレームプリアンブル上で送信できる。他のセクタ中の基地局からの標準的なＯＳＩ表示に基づいた、移動デバイス３０４によるデルタベースの電力制御により、フルのバッファのシナリオにおいて、厳格な干渉の分散をもたらすことができる。
【００５２】
バースト性のトラヒックの状況において、電力レベルのよりダイナミックな制御が必要とされることがある。したがって、ＯＳＩブロードキャスタ３０８はまた、基地局３０２によってサーブされている移動デバイス３０４および他の移動デバイスにより受信される高速ＯＳＩ値をブロードキャストする。フォワードリンク制御セグメント上の高速ＯＳＩチャネル（Ｆ−ＦＯＳＩＣＨ）によって高速ＯＳＩ表示をブロードキャストできる。限定的ではないが、一例として、高速ＯＳＩ報告は、それぞれ４ビットの集合にグループ化でき、各集合は、フォワードパイロット品質インジケータチャネル（Ｆ−ＰＱＩＣＨ）によって、データ送信に類似する６つの変調シンボルを利用して送信できる。この例において、関係している副帯域のいずれの上にも高速ＯＳＩ表示がないように、すべてのゼロのシーケンスに対して消去をマッピングできる。すべてのリバースリンクフレームの各インターレース上のすべての副帯域に対して高速ＯＳＩ値をブロードキャストできる。高速ＯＳＩ値は、あるリバースリンクフレーム上の特定の副帯域に対して観測される干渉に基づいたものとすることができる。
【００５３】
基地局３０２は、干渉オフセットブロードキャスタ３１０をさらに含む。近隣のセクタ中のバースト性のトラフィックによる、大きなinterference over thermal（ＩｏＴ）の上昇が発生した場合に、パケット誤りを低減させるために、干渉フセットブロードキャスタ３１０によって基地局３０２は、高速ＩｏＴ報告を用いることができる。以下に記述するように、基地局３０２はさらに、スケジューラ３０６を用いて、各割当に対して許容される最小のデルタ値のダイナミックな調整を容易にすることができる。干渉オフセットブロードキャスタは、すべての副帯域ｓに対して、干渉オフセット値であるInterferenceOffsetsを送信する。この値は、インターレースにわたってフィルタリングされた副帯域ｓ上の、基地局３０２によって観測された干渉量に少なくとも部分的に基づいている。この値は、フォワードinterference over thermalチャネル（Ｆ−ＩＯＴＣＨ）によって送信できる。
【００５４】
上述した報告に加えて、移動デバイス３０４に対して、かつ、アクティブである場合、基地局３０２によってサーブされているセクタ中のすべてのアクティブな移動デバイスに対して、基地局３０２は、受信した制御パイロットcarrier-over-thermal（ＣｏＴ）電力スペクトル密度（ＰＳＤ）に関する量子化された情報をさらに送信できる。この情報は、Ｆ−ＰＱＩＣＨによって送信できる。この情報および上述の値は、デルタベースの電力制御を実行する際に移動デバイス３０４によって用いることができる。主題の開示の観点にしたがうと、移動デバイス３０４は、遅いデルタ値と送信デルタ値とを維持および調整する。
【００５５】
デルタ値は、制御パイロットのＰＳＤおよびトラヒックＰＳＤの間のオフセットである。デルタ値は、制御パイロットcarrier-over-thermal ＰＳＤ（ｐＣｏＴ）およびトラヒックinterference-over-thermal ＰＳＤ（ＩｏＴ）を通して受信したＣ／Ｉ値（例えば、DataCtoI）と関係がある。例えば、次の式にしたがって、データＣ／Ｉ値に対してデルタ値をマッピングできる。  
Δ＝CoTdata−CoTcontrol 
Δ＝CoIdata＋IoTdata−CoTcontrol  
この実例にしたがうと、CoTdataは、データまたはトラヒックチャネルのcarrier-over-thermal値である。値CoTcontrolは、基地局から受信されるパイロットチャネルＰＳＤ値（ｐＣｏＴ）のような、制御チャネルに対するcarrier-over-thermal値である。したがって、デルタ値Δは、制御およびトラヒックＰＳＤ値の間の差すなわちオフセットである。CoTdataは、データチャネルに対するＣ／Ｉ値であるCoIdataと、データチャネルに対するinterference-over-thermal値であるIoTdataとの合計に等しい。上述したように、CoIdataは、基地局により移動デバイスに割り当てられるDataCtoI値とすることができる。さらに、IoTdataは、基地局により送信される干渉オフセット値とすることができる。
【００５６】
図４に目を向けると、デルタ値ΔとデータＣ／Ｉとの例示的なマッピングが図示されている。デルタ値Δは、制御ＣｏＴ（CoTcontrol）とデータＣｏＴ（CoTdata）との間のオフセットとすることができる。さらに、実例にしたがうと、CoTcontrolおよび／またはIoTdataは、サービング基地局から移動デバイスにフィードバックされ得る。
【００５７】
再度図３を参照すると、移動デバイス３０４は、デルタ値の範囲にしたがってデルタ値を維持および調整する。基地局３０２からブロードキャストされた受信情報または基地局３０２からの割当中に含まれる情報に基づいて、デルタ値の範囲は移動デバイス３０４によって確立される。例えば、移動デバイス３０４は、次の式に基づいて、最小の遅いデルタ値であるΔslow,minと、最大の遅いデルタ値であるΔslow,maxとを設定する。  
Δslow,min＝DataCoTmin−pCoTRLSS 
Δslow,max＝DataCoTmax−pCoTRLSS 
値DataCoTminおよびDataCoTmaxは、割当の一部として基地局３０２によって提供される、トラヒックチャネルに対するそれぞれ最小および最大のcarrier-over-thermal ＰＳＤ値である。値pCoTRLSSは、リバースリンクサービングセクタのパイロットチャネルに対するcarrier-over-thermal ＰＳＤ値である。したがって、移動デバイス３０４は、基地局３０２によってブロードキャストされ、または割り当てられた表示に基づいて遅いデルタ値の範囲を設定する。
【００５８】
移動デバイス３０４は、遅いデルタ評価器３１２を含み、遅いデルタ評価器３１２は、遅いデルタ値であるΔslowを維持および調整する。基地局３０２に類似の他のセクタの基地局によってブロードキャストされた標準的なＯＳＩ表示に基づいて、遅いデルタ評価器３１２は、遅いデルタ値を決定および調整する。すべてのスーパーフレームにおいて、遅いデルタ評価器３１２は、ＯＳＩモニターセットを発生させる。移動デバイス３０４が獲得できるセクタのフォワードリンクの幾何学に対してしきい値を適用することにより、ＯＳＩモニターセットが形成される。さらに、ＯＳＩモニターセットは、しきい値を他のセクタのｃｈａｎｄｉｆｆ値に適用することにより形成できる。高速ＯＳＩ表示をブロードキャストする他のセクタの基地局に対して別々のモニターセットを発生させることができることを理解すべきである。高速ＯＳＩモニターセットは、移動デバイス３０４のアクティブなセットのメンバーに限定できる。移動デバイス３０４のリバースリンクサービングセクタを含んでいるセクタは、ＯＳＩモニターセット中に含まれない。ＯＳＩモニターセットは、移動デバイス３０４によってもたらされる干渉により影響を受けることがあるセクタを含む。ＯＳＩモニターセットの各メンバーに対して、遅いデルタ評価器３１２は、ｃｈａｎｄｉｆｆ値を計算する。ｃｈａｎｄｉｆｆ値は、獲得パイロット上の受信電力に基づいており、同時に、モニターセット中の各セクタの送信電力を考慮に入れる。遅いデルタ評価器３１２は、ＯＳＩモニターセットのメンバーからブロードキャストされる標準的なＯＳＩ値に部分的に基づいて遅いデルタ値を調整する。遅いデルタ評価器３１２はさらに、対応する計算されたｃｈａｎｄｉｆｆ値だけでなく、移動デバイス３０４の現在の遅いデルタ値も考慮する。遅いデルタ値は、値が最小値を下回らず、最大値を超えない制約により調整される。移動デバイス３０４は、調整された遅いデルタ値を、リバースリンクサービング基地局である基地局３０２に伝達する。伝達された値は、基地局３０２により、将来の割当に対して提案される値として用いられる。
【００５９】
移動デバイス３０４は、送信デルタ評価器３１４をさらに含み、送信デルタ評価器３１４は、送信デルタ値であるΔtxを維持および調整する。送信デルタ評価器３１４は、基地局３０２に類似の他のセクタの基地局によりブロードキャストされる高速ＯＳＩ表示に基づいて、送信デルタ値を決定および変更する。高速ＯＳＩ表示が副帯域ごとのものであるとき、調整は副帯域ごととすることができる。副帯域ｓに対する割当後に、基地局３０２のスケジューラ３０６により提供される明示の、DataCtoIassignedにより、送信デルタ評価器３１４は、送信デルタ値に対する範囲を確立する。副帯域ｓ上で送信すべき各パケット（またはサブパケット）ｐに対して、送信デルタ評価器３１４は、次の式にしたがって、最小のデルタ値であるΔmin,pと、割り当てられる、すなわち最大のデルタ値であるΔmax,pとを確立する。  
Δmin,p＝InterferenceOffsetRLSS,s−pCoTRLSS＋DataCtoImin,p 
Δmax,p＝InterferenceOffsetRLSS,s−pCoTRLSS＋DataCtoIassigned,p 
この実例にしたがうと、値InterferenceOffsetRLSS,sは、リバースリンクサービングセクタ中の副帯域ｓに対するinterference over thermalレベルの表示である。この値は、基地局３０２によりブロードキャストされ、移動デバイス３０４により受信される。値pCoTRLSSは、移動デバイス３０４に対するリバースリンクサービングセクタにおけるパイロットＣｏＴ ＰＳＤである。値DataCtoImin,pは、パケットｐに対応する最小のＣ／Ｉ値である。移動デバイス３０４は、基地局３０２中のスケジューラ３０６からの割当において値DataCtoIassigned,pを受信する。送信デルタ評価器３１４は、InterferenceOffsetおよびpCoTの最も最近の（例えば、消去されていない）値を利用する。さらに、干渉オフセットを伝えるチャネルが多数の報告間隔に対して消去されている場合、送信デルタ評価器３１４によって、デフォルトのセクタ固有のinterference over thermal値を利用できる。
【００６０】
送信デルタ値Δtxに対する範囲を確立した後に、近隣セクタによりブロードキャストされ、移動デバイス３０４により受信された高速ＯＳＩ表示に基づいて、送信デルタ評価器３１４は値を調整する。最初に、以前に評価したように、送信デルタ値はΔmaxに初期化される。初期化後に、ブロードキャストされた高速ＯＳＩ表示の考慮に基づいて値を増大および低下させることにより、送信デルタ値は調整される。インターレースｉ上での再送信に対して、送信デルタ評価器３１４は、そのインターレース上の以前の送信に対応する高速ＯＳＩ表示に応答して送信デルタ値を調整する。調整は次の式にしたがって実現できる。
【数１】
2010512068.tif 000003
【００６１】
この例にしたがうと、値fastOSIiは、インターレースｉに対応する受信される高速ＯＳＩ表示である。値fastOSIStepUpおよびfastOSIStepDownは、それぞれ、送信デルタ値の増大サイズおよび低下サイズである。送信デルタ値がΔmaxを超えず、Δminを下回らないという制約により、調整は送信デルタ評価器３１４により実施される。新しいパケットに対して、または何らかの明示のDataCtoIassigned値を含まない新しい割当に対して、送信デルタ値はΔmaxに初期化されない。むしろ、上述したように、送信デルタ評価器３１４は最も最近の送信デルタ値を利用し、同じ調整を実行する。
【００６２】
主題の開示の別の観点にしたがうと、移動デバイス３０４はＰＳＤ調節器３１６を含み、ＰＳＤ調節器３１６は、すべての割当に対して、割り当てられるリバースリンクデータチャネル（例えば、Ｒ−ＤＣＨ）の送信ＰＳＤを設定する。送信デルタ値および高速ＯＳＩ表示が副帯域ごとのものであるとき、送信ＰＳＤを副帯域ごとに設定できることを理解すべきである。データチャネルに対する送信ＰＳＤは、次の式にしたがって確立される。
【００６３】
PSDR-DCH＝PSDR-PICH＋Δtx＋AttemptBoostj 
実例にしたがうと、ｊは、サブパケットのインデックスであり、ブースト値であるAttemptBoostjは、基地局３０２によって割り当てられる。値PSDR-PICHは、リバースリンクパイロットチャネルのＰＳＤである。結果として生じる送信電力がトラヒックに対して利用可能な最大送信電力よりも大きい場合、ＰＳＤ調節器３１６は、総送信電力が最大送信電力であるように、データＰＳＤをスケーリングする。
【００６４】
さらに、主題の開示の別の観点にしたがうと、移動デバイス３０４は、基地局３０２にフィードバックを提供する。移動デバイス３０４は、帯域外報告および帯域内報告を伝達できる。帯域外報告は、carrier-over-thermal値またはｃｈａｎｄｉｆｆ値に関する情報を含むことができる。例えば、移動デバイス３０４は、全帯域によって達成可能な最大の受信ＣｏＴ値を伝達できる。ＣｏＴ値はＰＡヘッドルームの表示とすることができる。この値は、フォワードリンクのパイロット品質インジケータチャネル上で受信されるパイロットＣｏＴフィードバックを利用して計算できる。一例にしたがうと、この値は、以前の報告からの実質的な変更後にのみ送信される。さらに、移動デバイス３０４は、基地局３０２に対してｃｈａｎｄｉｆｆ値を報告できる。報告されるＣｏＴ値と同様に、この値は実質的な変更後にのみ報告され得る。
【００６５】
帯域内要求に加えて、移動デバイス３０４は、帯域内で電力制御関連情報を報告できる。例えば、移動デバイス３０４は、最も最近の調整値に対応する、電力増幅器ヘッドルーム値、遅いデルタ値、または送信デルタ値を（例えば、オプションのＭＡＣヘッダフィールドを使用して）報告できる。遅いデルタ値は、将来の割当に対して提案される値とすることができ、および／または送信デルタ値は、対応するインターレース上の最近の（例えば、最も最近の）値（例えば、パケットの最初の送信に対して使用される値）とすることができる。さらに、移動デバイス３０４は、予測されるＰmaxを報告でき、Ｐmaxは、予測される干渉に基づいた、許容される最大の送信電力とすることができる。帯域外報告と同様に、これらの報告は、以前の報告に対して重要な変更があった後に送信できる。
【００６６】
図５に目を向けると、リバースリンク電力制御と干渉管理とを提供する例示的なシステム５００が図示されている。システム５００は、基地局１ ５０２と基地局２ ５０４とを含む。しかしながら、システム５００は、任意の数の基地局を含むことができると考えられる。基地局５０２は、移動デバイス１ ５０６（および／または（示していない）任意の数の追加の移動デバイス）をサーブすることができ、基地局５０４は、移動デバイス２ ５０８（および／または（示していない）任意の数の追加の移動デバイス）をサーブすることができる。
【００６７】
さらに、移動デバイス１ ５０６のリバースリンク送信は、移動デバイス２ ５０８のリバースリンク送信と干渉することがある（逆の場合も同様）。したがって、基地局１ ５０２は、近隣のセクタまたはセル中の移動デバイスからの干渉（例えば、移動デバイス２ ５０８からの干渉）とともに、移動デバイス１ ５０６から伝達される信号を取得することがある。したがって、基地局１ ５０２は、さまざまなメトリック（例えば、平均の干渉、．．．）を利用して、見られる干渉の量を測定できる。干渉の量が過度であることを基地局１ ５０２が決定する場合、基地局１ ５０２は、ブロードキャストの型でフォワードリンク上でＯＳＩ表示（例えば、標準的なＯＳＩ表示、高速ＯＳＩ表示、．．．）を送信でき、近隣の移動デバイス（例えば、移動デバイス２ ５０８）が基地局１ ５０２に対して非常に多くの干渉をもたらしていることと、リバースリンク上でこれらの近隣の移動デバイスにより利用される電力量を減少すべきであることとを近隣の移動デバイスに通知できる。
【００６８】
移動デバイス５０６ないし５０８は、非サービング基地局５０２ないし５０４から受信されたＯＳＩ表示に基づいて送信電力レベル調整できる。例えば、調整は、送信の電力スペクトル密度を変更する形態で実施できる。移動デバイス５０６ないし５０８は、それぞれのサービング基地局５０２ないし５０４から閉ループ電力制御を有することができ、それにより、それぞれのサービング基地局５０２ないし５０４は、それがサーブしている各移動デバイス５０６ないし５０８に対する基準電力レベルを制御できる。さらに、実際のトラヒック送信は、そのような基準電力レベルに対してオフセットΔで発生できる。さらに、Δは、ＯＳＩ表示に基づいて調整できる。一例として、移動デバイス１ ５０６が（例えば、基地局２ ５０４から）ＯＳＩ表示を受信する場合、Δ値を減少させることができ、それにより、移動デバイス１ ５０６により利用される低下した送信電力を発生できる。
【００６９】
標準的なＯＳＩ表示は、スーパーフレームごと（例えば、約２５ミリ秒ごとに）に１回基地局５０２ないし５０４により送信できる。さらに、標準的なＯＳＩ表示は、小さいステップのサイズの調整を生じさせることができる。高速ＯＳＩ表示は、フレームごとに（例えば、約１ミリ秒ごとに）基地局５０２ないし５０４により送信できる。高速ＯＳＩ表示に関係付けられる調整のステップのサイズは、標準的なＯＳＩ表示に関係付けられるステップのサイズよりも大きいものとすることができる。さらに、標準的なＯＳＩ表示は、近隣のセクタだけでなくさらに離れた距離に配置されているセクタ中に位置している移動デバイスをターゲットとすることができ、一方、高速ＯＳＩ表示は、より近くの近隣セクタ中の移動デバイスに向けることができる。
【００７０】
ＯＳＩ表示の利用は、パケットの損失および誤りをもたらすことがある。移動デバイス（例えば、移動デバイス５０６、移動デバイス５０８、．．．）がＯＳＩ表示に応答してその送信電力を低減させる場合、より低い送信電力を用いることにより、それ自身の送信を危険にさらすことがある。例えば、各移動デバイスは、ある割当（例えば、変調、コーディングレート、．．．）を有することができ、送信電力が低下する場合、移動デバイスは送信をうまく完了することができないかもしれず、基地局は、パケットをデコードすることができないかもしれない。したがって、最小限の性能レベル（例えば、あるＨＡＲＱの点で終了を保証するための、ＨＡＲＱ送信の面での最小の待ち時間）を維持するために、ＯＳＩ表示に応答して生じる調整に関して限度を設けることができる。
【００７１】
例えば、基地局５０２ないし５０４は、MaxDeltaReduction値を割り当てることができる。MaxDeltaReduction値の割当は、ＱｏＳクラスごととすることができ、したがって、各ＱｏＳクラスに、それ自身のMaxDeltaReduction値を関係付けることができる。MaxDeltaReduction値は、移動デバイスがＯＳＩ表示に応答してそのデルタ値を低減させることが許可される最大量とすることができる。さらに、各ＱｏＳクラスは異なる待ち時間要求を有することができ、異なる待ち時間要求は、異なるMaxDeltaReduction値をもたらすことができる（例えば、緩和された待ち時間要求を有するＱｏＳクラスに、ＯＳＩ表示に応答してデルタの大きな低減を許容する大きなMaxDeltaReduction値を関係付けることができる）。MaxDeltaReduction値はパケットごとにまたはこれに類似するものに割り当てられるのではなく、ＱｏＳに依存する半静的なパラメータとすることができることから、MaxDeltaReduction値を利用することにより、オーバーヘッドを低減することができる（例えば、DataCtoIに対する最小値を明示的に割り当てる必要がない）。さらに、DataCtoImin＝DataCtoIassigned−MaxDeltaReductionである。したがって、MaxDeltaReduction値およびDataCtoIassigned値を一緒に使用して、Δtxの範囲を決定できる。さらに、基地局５０２ないし５０４は、混合フローに対するパケット内の最も低いＱｏＳクラスに対応する値を使用できる。したがって、移動デバイスが異なるＱｏＳクラスを混合する場合、（例えば、公平性を促進するために）混合パケット中の最も低いＱｏＳクラスに対応するパラメータを用いることができる。さらに、基地局は、Δslowの範囲を決定するために利用されるDataCoTmin値とDataCoTmax値とを移動デバイスに割り当てることができる。
【００７２】
さらに、基地局５０２ないし５０４は、移動デバイス５０６ないし５０８に割当を送ることができ（例えば、基地局１ ５０２は、移動デバイス１ ５０６に割当を送ることができ、基地局２ ５０４は、移動デバイス２ ５０８に割当を送ることができ、．．．）、このような割当は、DataCtoIassignedを含むことができる。DataCtoIassignedは、目標のＨＡＲＱの終了に基づいて選択できる。さらに、割当インターレース上で現在のデルタ値を使用するように移動デバイスに指示する予約値が存在し得る。したがって、割当は、DataCtoI値をユーザに明示的に割り当てることができ、または、予約値に基づいて、新しい送信に対するインターレース上で以前の値を使用するようにユーザに指示することができる。
【００７３】
さらなる実例にしたがうと、ＨＡＲＱは拡張できる。例えば、ＨＡＲＱは６回の送信を最初に用いることができるが、特許請求の範囲に記載される内容はそのように限定されない。６回目の送信でパケットをデコードできないことをサービング基地局が認識すると、そのような基地局は、パケット損失を緩和するためにパケットに対するＨＡＲＱ再送の数を拡張するメッセージを送ることができる。さらなる実例として、ＨＡＲＱ拡張は、上述した試行ブーストと組み合わせて用いることができる。しかしながら、試行ブーストなしにＨＡＲＱの拡張を利用できることも考えられる。
【００７４】
さらに、基地局５０２ないし５０４による割当決定は、バッファサイズ、ＱｏＳレベル、およびこれらに類似するものだけでなく、それぞれの移動デバイス５０６ないし５０８からのフィードバックに基づくことができる。フィードバックチャネルは、帯域内または帯域外とすることができる。帯域内チャネルは、ＭＡＣのヘッダまたはトレーラの一部とすることができ、一方、帯域外チャネルは、専用物理層を有することができる。フィードバック情報は、Δtx報告および（将来の割当に対して提案される値として機能できる）Δslow報告と、ＰＡヘッドルームおよび予測されるＰmax（例えば、予測される干渉に基づいた、許容される最大の送信電力）と、最初の開ループ予測に対するＣｈａｎｄｉｆｆとを含むことができる。
【００７５】
さまざまなチャネルを用いて、移動デバイス５０６ないし５０８からのフィードバックをそれぞれのサービング基地局５０２ないし５０４に提供できる。例えば、リバースリンクＰＡヘッドルームチャネル（Ｒ−ＰＡＨＣＨ）および／またはリバースリンクＰＳＤチャネル（Ｒ−ＰＳＤＣＨ）を利用できる。Ｒ−ＰＡＨＣＨは６ビットを用いることができ、全帯域にわたって、達成可能な最大の受信ＣｏＴ値を搬送できる。達成可能な最大の受信ＣｏＴ値は、Ｆ−ＰＱＩＣＨ上のパイロットＣｏＴフィードバックを使用して計算できる。さらに、Ｒ−ＰＳＤＣＨは４ビットとすることができ、新しい割当に対して提案されるＰＳＤ値に関する情報を搬送できる。以前の報告からの実質的な変更があるときに、Ｒ−ＰＡＨＣＨおよび／またはＲ−ＰＳＤＣＨを送信でき、ここで、最小の変更に関して制約が存在し得る。さらに、Ｒ−ＰＡＨＣＨおよび／またはＲ−ＰＳＤＣＨに対するある数のスロット当たりの報告の最大数に関して制約が存在し得る。
【００７６】
移動デバイス５０６ないし５０８はまた、帯域内で電力制御関連情報を報告できる。移動デバイス５０６ないし５０８は、オプションのＭＡＣのヘッダおよび／またはトレーラのフィールドを使用して、帯域内情報を搬送できる。帯域内で報告される情報は、ＰＡヘッドルームや、予測されるＰmaxや、Δtx（例えば、対応するインターレース上の最も最近の値、パケットの最初の送信に対して使用される値、．．．）や、Δslowなどと関係付けることができる。
【００７７】
図６ないし１０を参照すると、ブロードキャストされた干渉情報に基づいたリバースリンク電力調整に関する方法が説明されている。説明を簡単にするために、一連の動作として方法を示し、説明しているが、１つ以上の実施形態にしたがって、いくつかの動作は、異なる順序で発生することがあり、および／または、ここで示し記述した動作以外の動作と同時に発生することがあることから、方法は動作の順序によって限定されないことを理解および認識すべきである。例えば、状態図におけるように、一連の相互に関係付けられた状態またはイベントとして、方法を代わりに表すことができることを、当業者は理解および認識するだろう。さらに、１つ以上の実施形態にしたがって方法を実現するために、説明されているすべての動作が要求されないこともあり得る。
【００７８】
これから図６に目を向けると、リバースリンク送信電力制御を容易にする方法６００が説明されている。主題の開示の観点にしたがうと、方法６００は、基地局により実行できる。とりわけ、方法６００を用いて、電力制御の決定に関係のあるパラメータを移動デバイスに提供できる。６０２において、電力制御パラメータが割当中に含められる。例えば、割当は、特定の移動デバイスに対する周波数リソースの割振またはリバースリンクデータチャネルの指定とすることができる。電力制御パラメータは、リバースリンクデータチャネルに対する最小および最大のcarrier-over-thermal値を含むことができる。さらに、電力制御パラメータは、移動デバイスに割り当てられることになる特定の副帯域に関係のある、割り当てられたまたは目標のＣ／Ｉ値を含むことができる。電力制御パラメータは、半静的なパラメータとして、すべての割当に含められなくてもよく、パラメータが更新を要求する場合にのみ電力制御パラメータを割り当てることができる。６０４において、移動デバイスが割り当てられる。割当の決定は、移動デバイスから受信されるフィードバック情報に部分的に基づくことができる。フィードバック情報は、デルタ値（例えば、遅いデルタ値および送信デルタ値）、電力増幅器ヘッドルーム、バッファサイズ、ＱｏＳレベル、予測される干渉に基づいた、許容される最大電力、および／または過度に高速なＯＳＩアクティビティの報告を含むことができる。
【００７９】
６０６において、標準的なＯＳＩ表示がブロードキャストされる。ブロードキャストは、スーパーフレームごとに１回発生することができ、表示は、スーパーフレームのプリアンブル中に含めることができる。標準的なＯＳＩ表示は、前のスーパーフレームの間に観測された平均の干渉である。この値により、遅いデルタ値を決定することが容易になる。６０８において、高速ＯＳＩ表示がブロードキャストされる。ブロードキャストは、すべてのリバースリンクフレーム上のすべての副帯域に対して発生できる。高速ＯＳＩ表示は、特定のリバースリンクフレーム上のある副帯域に対して観測される干渉を表す。高速ＯＳＩ表示により、送信デルタ値を決定することが容易になる。６１０において、干渉オフセット値がブロードキャストされる。干渉オフセット値は、すべての副帯域に対してブロードキャストされる。値は、インターレースにわたってフィルタリングされた特定の副帯域上で観測される干渉の量を表す。例えば、干渉オフセット値は、副帯域のＩｏＴレベルを表すことができる。
【００８０】
図７を参照すると、ワイヤレス通信環境中でリバースリンク電力を制御することを容易にする方法７００が説明されている。７０２において、ＱｏＳクラスに基づいて、デルタ値の調整に対する限度を割り当てることができる。例えば、ＱｏＳクラスごとにMaxDeltaReduction値を割り当てることができる。さらに、割り当てられるDataCtoI値と一緒にMaxDeltaReduction値を用いて、送信デルタ値Δtxの範囲を決定できる。さらに、MaxDeltaReduction値は半静的なものとすることができる。１つの例にしたがうと、混合フローに対するパケット内の最も低いＱｏＳクラスに対応するMaxDeltaReduction値を利用できる。７０４において、リバースリンク割当は、少なくとも１つのサーブされている移動デバイスに対して送信できる。割当は、例えば、割り当てられたDataCtoI値を含むことができる。割り当てられたDataCtoI値は、目標のＨＡＲＱの終了に基づいて選択できる。さらに、割当は、割当インターレース上で現在のデルタ値を用いるように、少なくとも１つのサーブされている移動デバイスに指示する予約値を含むことができる。７０６において、近隣のセクタ中の移動デバイスからのリバースリンク干渉を監視できる。７０８において、ＯＳＩ表示をブロードキャストして、近隣のセクタ中の移動デバイスのリバースリンク電力レベルを調整できる。
【００８１】
さらに、帯域内および／または帯域外で、サーブされている移動デバイスからフィードバックを取得できる。割当決定を実現することに関してフィードバックを活用できる。例えば、フィードバックは、Δtx、Δslow、ＰＡヘッドルーム、予測されるＰmax、ｃｈａｎｄｉｆｆ、などと関連することができる。帯域内フィードバックは、例えば、ＭＡＣヘッダのフィールドに含めることができる。さらに、帯域外フィードバックは、専用物理層チャネル（例えば、Ｒ−ＰＡＨＣＨ、Ｒ−ＰＳＤＣＨ、．．．）により取得できる。
【００８２】
さらに、決定を実現して、ＨＡＲＱ送信を拡張できる。ＨＡＲＱ再送の最初に割り振られた数内にパケットがデコードされないかもしれないことを認識すると、パケット損失を緩和するために、ＨＡＲＱ再送の数を拡張するメッセージをサーブされている移動デバイスに送ることができる。付加的にまたは代わりに、ブーストプロファイルを移動デバイスに割り当てることができる。移動デバイスによりブーストプロファイルを用いて、一後のＨＡＲＱ再送に関係するリバースリンク送信ＰＳＤを順次増加させて、パケットをデコードする能力を向上させることができる。
【００８３】
図８に目を向けると、ワイヤレス通信においてリバースリンク電力制御を実現する方法８００が説明されている。移動デバイスにより方法８００を用いて、とりわけ、将来の割当決定に対して基地局によって利用される遅いデルタ値を発生させることができる。８０２において、遅いデルタ値に対する範囲が決定される。範囲は、割当に含まれるパラメータに基づくことができる。例えば、範囲は、割当に含まれる最小および最大のＣｏＴ値と、パイロットチャネルのＰＳＤとの考慮に基づいて計算できる。遅いデルタ値に対する調整が範囲内に束縛されるように、範囲は、遅いデルタ値に対する最小値および最大値を規定する。これらの値はまた、最も最近の割当ではなく、以前の割当に含まれ得る。例えば、いくつかのパラメータは、半静的なものとし、周期的な更新だけを必要とし得る。８０４において、遅いデルタ値が評価または調整される。値は、モニターセットのメンバーからの標準的なＯＳＩブロードキャストに基づいて評価される。さらに、現在の遅いデルタ値と同様にモニターセットのメンバーに対応するｃｈａｎｄｉｆｆ値も考慮できる。８０６において、調整された遅いデルタ値が送信される。移動デバイスのリバースリンクをサーブする基地局に値を伝達して、将来の割当決定において用いることができる。
【００８４】
図９に関連して、リバースリンク電力調整を実現する方法９００を説明する。ワイヤレス通信システム中の移動デバイスにより方法９００を用いて、リバースリンクトラフィックチャネルに対するＰＳＤを設定できる。９０２において、送信デルタ値に対する範囲が確立される。範囲は、割当に含まれる値に基づくことができる。さらに、範囲は、干渉オフセット値と、パイロットチャネルのＣｏＴ値との考慮に基づいて決定できる。９０４において、送信デルタ値が評価または調整される。調整は、ブロードキャストされる高速ＯＳＩ表示に基づくことができる。例えば、送信デルタ値は最大値に初期化し、次に、高速ＯＳＩ表示次第で、割り当てられたステップサイズにより上または下に調整できる。他のセクタにおける干渉の増加の表示は一般に、送信デルタ値の低下をもたらし、一方、いかなる表示も送信デルタ値の増大をもたらすことができない。９０６において、リバースリンクトラヒックチャネルの電力スペクトル密度が設定される。ＰＳＤは、送信デルタ値に基づいて確立される。例えば、主題の開示の観点にしたがうと、トラフィックチャネルＰＳＤは、パイロットチャネルのＰＳＤと送信デルタ値との合計に設定される。さらに、割り当てられたブースト値を合計に含めることができる。
【００８５】
図１０に目を向けると、ワイヤレス通信環境においてリバースリンク電力レベルを制御することを容易にする方法１０００が説明されている。１００２において、ＱｏＳに依存する割当値に基づいて、デルタ調整の範囲を決定できる。ＱｏＳに依存する割当値は、例えば、ＱｏＳクラスごとに割り振ることができるMaxDeltaReduction値とすることができる。さらに、利用すべきMaxDeltaReduction値は、パケット内の最も低いＱｏＳクラスに基づいて選択できる（例えば、パケットは、複数の異なるＱｏＳクラスを含むことができる）。さらに、デルタ調整の範囲は、送信デルタ値であるΔtxの範囲とすることができる。１００４において、デルタ値をＯＳＩ表示に基づいて評価でき、ここでデルタ値は、デルタ調整の範囲内とすることができる。１００６において、送信電力スペクトル密度をデルタ値に基づいて設定できる。送信ＰＳＤは、リバースリンク送信に対して用いることができる。
【００８６】
別の実例にしたがうと、ＨＡＲＱ再送を利用できる。例えば、用いるＨＡＲＱ再送の数を増加させるメッセージを受信でき、したがって、それにより、ＨＡＲＱ再送の数を増加させることができる。別の実例にしたがうと、所定のパケットに対して以前に実現された再送の数に基づいて送信ＰＳＤを増加させることができる。さらに、例えば、（例えば、基地局から取得される）割当に含まれる予約値に基づいて、現在のデルタ値をインターレースおよび／またはサブゾーン上で使用できる。
【００８７】
ここで記述した１つ以上の観点にしたがって、移動デバイスに割り当てること、ＯＳＩモニターセットを発生させること、ｃｈａｎｄｉｆｆ値を決定すること、遅いデルタ値を評価することなどに関して推論を実施できる。ここで使用するとき、用語“推論する”または“推論”は一般的に、事象および／またはデータを通して取り込まれる１組の観測から、システム、環境、および／またはユーザ、の状態について理論的に考えること、または推論するプロセスに関係する。例えば、推論を用いて特定の情況または動作を識別でき、または状態に対して確率分布を発生させることができる。推論は、確率的、すなわち、データおよび事象の考慮に基づいた、関心のある状態に対する確率分布の計算とすることができる。推論はまた、１組の事象および／またはデータからより高いレベルの事象を構成するために用いられる技術を指すこともある。事象が時間的にきわめて接近して相関付けられていようとなかろうと、事象およびデータが１つまたはいくつかの事象およびデータ源から生じていようとなかろうと、このような推論は、１組の観測された事象および／または記憶された事象データから、新しい、事象または動作の構造を結果として生ずる。
【００８８】
１つの例にしたがうと、上で与えた１つ以上の方法は、移動デバイスにより基地局に送信される遅いデルタ値の考慮に基づいて、移動デバイスに割り当てることに関係する推論を実施することを含むことができる。さらなる実例として、標準的なＯＳＩ表示、ｃｈａｎｄｉｆｆ値、および現在のデルタ値に基づいて遅いデルタ値に対する調整を決定することに関して推論を実施できる。先の例は、本質的に実例であり、実施できる推論の数を、または、このような推論がさまざまな実施形態および／またはここで記述した方法と一緒に実施される方法を限定するように向けられていないことが理解されるだろう。
【００８９】
図１１は、ブロードキャストされる干渉情報の考慮に基づいてリバースリンク電力を調整することを容易にする移動デバイス１１００の説明図である。移動デバイス１１００は受信機１１０２を備え、受信機１１０２は、例えば、（示していない）受信アンテナから信号を受信し、受信した信号について一般的な動作を実行し（例えば、フィルタリングする、増幅する、ダウンコンバートする、など）、調整された信号をデジタル化してサンプルを取得する。受信機１１０２は、例えば、ＭＭＳＥ受信機とすることができ、復調器１１０４を備えることができ、復調器１１０４は受信したシンボルを復調して、それらをチャネル推定のためにプロセッサ１１０６に提供できる。プロセッサ１１０６は、受信機１１０２により受信した情報を分析すること、および／または送信機１１１６により送信する情報を発生させることを専用とするプロセッサ、移動デバイス１１００の1つ以上のコンポーネントを制御するプロセッサ、および／または受信機１１０２により受信した情報を分析し、送信機１１１６による送信のための情報を発生させ、移動デバイス１１００の１つ以上のコンポーネントを制御するプロセッサとすることができる。
【００９０】
移動デバイス１１００は付加的にメモリ１１０８を備えることができ、メモリ１１０８は、プロセッサ１１０６に動作可能に結合され、送信すべきデータ、受信したデータ、利用可能なチャネルに関する情報、分析した信号および／または干渉強度に関係付けられたデータ、割り当てられたチャネルに関連した情報、電力、レート、あるいはこれらに類似するもの、チャネルを推定し、およびチャネルを通して通信するための他の任意の適切な情報を記憶できる。（例えば、性能ベースで、容量ベースで、など）チャネルを推定すること、および／または利用することに関係付けられたプロトコルおよび／またはアルゴリズムをメモリ１１０８は付加的に記憶できる。
【００９１】
ここで記述したデータ記憶装置（例えば、メモリ１１０８）は、揮発性メモリまたは不揮発性メモリのいずれかとすることができ、あるいは揮発性および不揮発性メモリの両方を含むことができることが理解される。実例として、これに限定されないが、不揮発性メモリは、読み出し専用メモリ（ＲＯＭ）、プログラム可能ＲＯＭ（ＰＲＯＭ）、電気的にプログラム可能ＲＯＭ（ＥＰＲＯＭ）、電気的に消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。実例として、これに限定されないが、ＲＡＭは多くの形態で利用でき、例えば同期ＲＡＭ（ＳＲＡＭ）、ダイナミックＲＡＭ（ＤＲＡＭ）、同期ＤＲＡＭ（ＳＤＲＡＭ）、倍速データレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）がある。本主題の、システムおよび方法のメモリ１１０８は、これらに限定されず、これらおよび他の任意の適当なタイプのメモリを備えるように意図されている。
【００９２】
受信機１１０２はさらに、遅いデルタ評価器１１１０に動作可能に結合されており、遅いデルタ評価器１１１０は、移動デバイス１１００に対して遅いデルタ値を決定する。基地局によりブロードキャストされ、受信機１１０２により移動デバイス１１００において受信される標準的なＯＳＩ表示の考慮に基づいて、遅いデルタ評価器１１１０は、遅いデルタ値を維持および調整する。移動デバイス１１００がリバースリンクサービングセクタ以外に得ることができるセクタのフォワードリンク幾何学に対してしきい値を適用することにより、遅いデルタ評価器１１１０は、ＯＳＩモニターセットを確立する。Ｃｈａｎｄｉｆｆ値がセットの各メンバーに対して計算される。遅いデルタ値は、ＯＳＩモニターセット、Ｃｈａｎｄｉｆｆ値、および／または標準的なＯＳＩ表示に基づいて調整される。さらに、移動デバイス１１００により遅いデルタ値を送信して、リバースリンクサービング基地局による将来の割当に対して提案される値を提供できる。さらに、受信機１１０２は、送信デルタ評価器１１１２に結合されており、送信デルタ評価器１１１２は、移動デバイス１１００に対して送信デルタ値を決定する。基地局によりブロードキャストされ、受信機１１０２により移動デバイス１１００において受信される高速ＯＳＩ表示の考慮に基づいて、送信デルタ評価器１１１２は、送信デルタ値を維持および調整する。送信デルタ値を最大に初期化した後に、送信デルタ評価器１１１２は、高速ＯＳＩ表示に基づいて送信デルタ値を増大または低下させる。移動デバイス１１００は、フィードバックとして、調整された値をサービング基地局に送信できる。
【００９３】
移動デバイス１１００は変調器１１１４と送信機１１１６とをさらに備え、送信機１１１６は、例えば、基地局、別の移動デバイスなどに信号（例えば、電力制限インジケータ）を送信する。ＰＳＤ調節器１１１８がプロセッサ１１０６および送信機１１１６に結合されている。送信デルタ評価器１１１２により維持および調整される送信デルタ値と、パイロットチャネルのＰＳＤとに部分的に基づいて、ＰＳＤ調節器は、移動デバイス１１００に割り当てられるリバースリンクトラヒックチャネルの電力スペクトル密度を確立する。プロセッサ１１０６から分離しているように描写しているが、遅いデルタ評価器１１１０、送信デルタ評価器１１１２、ＰＳＤ調節器１１１８、および／または変調器１１１４は、プロセッサ１１０６または（示していない）多数のプロセッサの一部とすることができることを理解すべきである。
【００９４】
図１２は、システム１２００の説明図であり、システム１２００はワイヤレス通信システムにおける移動デバイスに電力制御関連情報を提供することによりリバースリンク電力制御を容易にする。システム１２００は、複数の受信アンテナ１２０６を通して１つ以上の移動デバイス１２０４から信号を受信する受信機１２１０と、送信アンテナ１２０８を通して１つ以上の移動デバイス１２０４に送信する送信機１２２０とを有する基地局１２０２（例えば、アクセスポイント、．．．）を備えている。受信機１２１０は、受信アンテナ１２０６から情報を受信でき、受信した情報を復調する復調器１２１２に動作可能に関係付けられている。復調したシンボルは、図１１に関して上述したプロセッサに類似のものとすることができるプロセッサ１２１４によって分析され、プロセッサ１２１４はメモリ１２１６に結合されており、メモリ１２１６は、信号（例えば、パイロット）強度および／または干渉強度を推定することに関連した情報、移動デバイス１２０４（または（示していない）異なる基地局）に送信すべきまたはそこから受信すべきデータ、および／またはここで示したさまざまな動作および機能を実行することに関連した他の任意の適切な情報を記憶する。
【００９５】
プロセッサ１２１４はさらに、スケジューラ１２１８に結合されており、スケジューラ１２１８は、リバースリンクトラフィックチャネルに移動デバイス１２０４を割り当てる。スケジューラ１２１８は、バッファサイズ、ＱｏＳレベル、およびフィードバック情報の考慮に基づいて割当の決定を実施する。フィードバック情報は、移動デバイス１２０４から受信したデルタ値（例えば、送信デルタ値および遅いデルタ値）を含むことができる。さらに、フィードバック情報は、電力増幅器ヘッドルームと、過度の高速ＯＳＩアクティビティの表示とを含むことができる。スケジューラ１２１８は、割当における電力制御関連情報を含んでいる。例えば、スケジューラ１２１８は、目標のＣ／Ｉ値、最小および最大のＣｏＴ値、ステップサイズなどを含むことができる。これらの先のパラメータは基地局１２０２によって割り当てられるが、同じメカニズムによって、または同時にパラメータを割り当てる必要がないことを理解すべきである。例えば、ステップサイズおよび最小／最大のＣｏＴ値は、各パケットまたは割当てに対して割り当てる必要がない半静的なパラメータとすることができる。更新を必要とするときはいつでも、これらのパラメータは、上位層メッセージまたはこれに類似するものを通して更新できる。これらの値は、電力制御決定において移動デバイス１２０４により利用できる。
【００９６】
プロセッサ１２１４は、ブロードキャスタ１２２０にさらに結合されている。ブロードキャスタ１２２０は、移動デバイス１２０４に情報をブロードキャストする。情報は、移動デバイス１２０４により実施すべき電力制御決定に関連している。例えば、ブロードキャストされる情報は、スーパーフレームごとにブロードキャストされる標準的なＯＳＩ表示を含むことができ、標準的なＯＳＩ表示は、以前の１つ以上のスーパーフレームの間に観測された平均の干渉を表す。ブロードキャスタ１２２０はさらに、すべての副帯域に対応する高速ＯＳＩ表示をブロードキャストできる。これらの表示は、副帯域に対して観測される干渉を表す。さらに、ブロードキャスタ１２２０は、インターレースにわたってフィルタリングされた各副帯域上で観測される干渉の量に基づいている干渉オフセット値をブロードキャストできる。変調器１２２２は、アンテナ１２０８を通して送信機１２２４により移動デバイス１２０４に送信する制御情報を多重化できる。移動デバイス１２０４は、図１１に関して記述した移動デバイス１１００に類似のものとすることができ、ブロードキャストされた情報を用いて、送信電力を調整できる。主題の開示にしたがって、他の機能が利用できることを理解すべきである。プロセッサ１２１４から分離しているように描写しているが、スケジューラ１２１８、ブロードキャスタ１２２０、および／または変調器１２２２は、プロセッサ１２１４または（示していない）多数のプロセッサの一部とすることができることを理解すべきである。
【００９７】
図１３は、例示的なワイヤレス通信システム１３００を示す。簡潔にするために、ワイヤレス通信システム１３００は、１つの基地局１３１０および１つの移動デバイス１３５０を描写する。しかしながら、システム１３００は１つより多い基地局および／または１つより多い移動デバイスを含むことができ、追加的な基地局および／または移動デバイスは、以下で記述する例示的な基地局１３１０および移動デバイス１３５０と実質的に類似または相違したものとすることができることを理解すべきである。さらに、基地局１３１０および／または移動デバイス１３５０は、ここで記述した、システム（図１ないし３、５、および１１ないし１２）および／または方法（図６ないし１０）を用いて、それらの間でワイヤレス通信を容易にすることができることを理解すべきである。
【００９８】
基地局１３１０において、多数のデータストリームに対するトラヒックデータが、データ源１３１２から送信（ＴＸ）データプロセッサ１３１４に提供される。１つの例にしたがうと、各データストリームは、それぞれのアンテナに対して送信できる。ＴＸデータプロセッサ１３１４は、トラヒックデータストリームに対して選択された特定のコーディングスキームに基づいてそのデータストリームをフォーマットし、コード化し、インターリーブして、コード化されたデータを提供する。
【００９９】
各データストリームに対してコード化されたデータは、直交周波数分割多重化（ＯＦＤＭ）技術を使用して、パイロットデータと多重化できる。付加的にまたは代わりに、パイロットシンボルは、周波数分割多重化（ＦＤＭ）、時分割多重化（ＴＤＭ）、またはコード分割多重化（ＣＤＭ）とすることができる。パイロットデータは一般に、既知の方法で処理される既知のデータパターンであり、チャネル応答を推定するために移動デバイス１３５０において使用できる。各データストリームに対して多重化されたパイロットおよびコード化されたデータは、そのデータストリームに対して選択される特定の変調スキーム（例えば、バイナリ位相シフトキーイング（ＢＰＳＫ）、直角位相シフトキーイング（ＱＰＳＫ）、Ｍ位相シフトキーイング（Ｍ−ＰＳＫ）、Ｍ直角位相振幅変調（Ｍ−ＱＡＭ）など）に基づいて変調（例えば、シンボルマッピング）して、変調シンボルを提供できる。各データストリームに対するデータレート、コーディング、および変調は、プロセッサ１３３０により実行されるまたは提供される命令によって決定できる。
【０１００】
データストリームに対する変調シンボルは、ＴＸ ＭＩＭＯプロセッサ１３２０に提供でき、ＴＸ ＭＩＭＯプロセッサ１３２０は、（例えば、ＯＦＤＭに対する）変調シンボルをさらに処理できる。ＴＸ ＭＩＭＯプロセッサ１３２０は、次に、ＮT個の変調シンボルストリームをＮT個のトランシーバ（ＴＭＴＲ／ＲＣＶＲ）１３２２ａないし１３２２ｔに提供する。さまざまな実施形態において、ＴＸ ＭＩＭＯプロセッサ１３２０は、データストリームのシンボルと、シンボルが送信されているアンテナとに対してビームフォーミングの重みを適用する。
【０１０１】
各トランシーバ１３２２は、それぞれのシンボルストリームを受け取って、処理して、１つ以上のアナログ信号を提供し、さらにアナログ信号を調整して（例えば、増幅し、フィルタリングし、アップコンバートする）、ＭＩＭＯチャネルに対して送信に適切な変調信号を提供する。さらに、トランシーバ１３２２ａないし１３２２ｔからのＮT個の変調信号は、それぞれＮT個のアンテナ１３２４ａないし１３２４ｔから送信される。
【０１０２】
移動デバイス１３５０において、送信された変調信号が、ＮR個のアンテナ１３５２ａないし１３５２ｒによって受信され、各アンテナ１３５２からの受信信号は、それぞれのトランシーバ（ＴＭＴＲ／ＲＣＶＲ）１３５４ａないし１３５４ｒに提供される。各トランシーバ１３５４は、それぞれの信号を調整し（例えば、フィルタリングし、増幅し、ダウンコンバートする）、調整された信号をデジタル化してサンプルを提供し、さらにサンプルを処理して対応する“受信”シンボルストリームを提供する。
【０１０３】
ＲＸデータプロセッサ１３６０は、ＮR個のトランシーバ１３５４からＮR個の受信シンボルストリームを受け取り、特定の受信機処理技術に基づいて処理して、ＮT個の“検出された”シンボルストリームを提供する。ＲＸデータプロセッサ１３６０は、各検出されたシンボルストリームを復調し、デインターリーブし、デコードして、データストリームに対するトラヒックデータを回復できる。ＲＸデータプロセッサ１３６０による処理は、基地局１３１０におけるＴＸ ＭＩＭＯプロセッサ１３２０およびＴＸデータプロセッサ１３１４により実行される処理と相補関係にある。
【０１０４】
プロセッサ１３７０は、上述したようにどのプリコーディング行列を利用するかを定期的に決定できる。さらに、プロセッサ１３７０は、行列インデックス部分とランク値部分とを備えるリバースリンクメッセージを構築できる。
【０１０５】
リバースリンクメッセージは、通信リンクおよび／または受信データストリームに関するさまざまなタイプの情報を含むことができる。リバースリンクメッセージは、データ源１３３６から多数のデータストリームに対するトラヒックデータも受信するＴＸデータプロセッサ１３３８によって処理し、変調器１３８０によって変調し、トランシーバ１３５４ａないし１３５４ｒによって調整し、基地局１３１０対して再度送信することができる。
【０１０６】
基地局１３１０において、移動デバイス１３５０からの変調信号は、アンテナ１３２４によって受信され、トランシーバ１３２２によって調整され、復調器１３４０によって復調され、ＲＸデータプロセッサ１３４２によって処理されて、移動デバイス１３５０により送信されたリバースリンクメッセージが抽出される。さらに、プロセッサ１３３０は、抽出されたメッセージを処理して、ビームフォーミングの重みを決定するためにどのプリコーディング行列を使用するかを決定できる。
【０１０７】
プロセッサ１３３０および１３７０は、それぞれ、基地局１３１０および移動デバイス１３５０における動作を指示（例えば、制御する、調整する、管理するなど）できる。それぞれのプロセッサ１３３０および１３７０は、プログラムコードおよびデータを記憶するメモリ１３３２および１３７２に関係付けることができる。プロセッサ１３３０および１３７０は計算を実行して、それぞれアップリンクおよびダウンリンクに対する周波数およびインパルス応答推定を導出することもできる。
【０１０８】
ここで記述した実施形態は、ハードウェア、ソフトウェア、ファームウェア、ミドルウェア、マイクロコード、またはこれらの任意の組み合わせにおいて実現できることを理解すべきである。ハードウェア実施のために、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計された他の電子ユニット、またはこれらの組み合わせ内で、処理ユニットを実現できる。
【０１０９】
実施形態が、ソフトウェア、ファームウェア、ミドルウェアまたはマイクロコード、プログラムコードまたはコードセグメントにおいて実現されるとき、それらは、記憶装置コンポーネントのような機械読み取り可能媒体中に記憶できる。コードセグメントは、手続き、関数、サブプログラム、プログラム、ルーチン、サブルーチン、モジュール、ソフトウェアパッケージ、クラス、または命令の任意の組み合わせ、データ構造、またはプログラムのステートメントを表すことができる。情報、データ、引き数、パラメータ、またはメモリのコンテンツを渡し、および／または受け取ることにより、コードセグメントは、別のコードセグメントまたはハードウェア回路に結合できる。メモリの共有を含む任意の適切な手段、メッセージ受渡し、トークンパッシング方式、ネットワーク送信などを使用して、情報、引き数、パラメータ、データなどを渡し、転送し、または送信することができる。
【０１１０】
ソフトウェア実現のために、ここで記述した技術は、ここで記述した機能を実行するモジュール（例えば、手続き、関数など）により実現できる。ソフトウェアコードは、メモリユニット中に記憶し、プロセッサによって実行できる。メモリユニットは、プロセッサの内部またはプロセッサの外部で実現でき、いずれのケースにおいても、メモリユニットは、技術的に知られているさまざまな手段によりプロセッサに通信可能に結合できる。
【０１１１】
図１４を参照すると、ワイヤレス通信環境において移動デバイスのリバースリンク干渉レベルを制御することを可能にするシステム１４００が説明されている。例えば、システム１４００は、基地局内に少なくとも部分的に存在できる。システム１４００は、機能ブロックを含むものとして表されていることを理解すべきであり、機能ブロックは、プロセッサ、ソフトウェア、またはこれらの組み合わせ（例えば、ファームウェア）により実現される機能を表す機能ブロックとすることができる。システム１４００は、一緒に動作できる電気コンポーネントの論理グループ１４０２を含む。例えば、論理グループ１４０２は、ＱｏＳクラスに基づいてデルタ値の調整限度を割り当てる電気コンポーネント１４０４を含むことができる。さらに、論理グループ１４０２は、少なくとも１つの移動デバイスにリバースリンク割当を送る電気コンポーネント１４０６を備えることができる。さらに、論理グループ１４０２は、ＯＳＩ表示をブロードキャストして、監視された干渉に基づいて、近隣の移動デバイスのリバースリンク電力レベルを調整する電気コンポーネント１４０８を含むことができる。例えば、ＯＳＩ表示は、標準的なＯＳＩ表示および／または高速ＯＳＩ表示とすることができる。１つの例にしたがうと、ＯＳＩ表示は、遅いデルタ値の評価を可能にする標準的なＯＳＩ表示を含むことができる。遅いデルタ値は、移動デバイスの割当に対して提案される値として用いることができる。さらに、ＯＳＩ表示は、副帯域上での送信に対して干渉の表示を提供する高速ＯＳＩ表示を含むことができる。高速ＯＳＩ表示は、送信デルタ値を調整することを可能にする。さらに、システム１４００はメモリ１４１０を含むことができ、メモリ１４１０は、電気コンポーネント１４０４、１４０６および１４０８に関係付けられた機能を実行する命令を保持する。メモリ１４１０の外部にあるように示しているが、電気コンポーネント１４０４、１４０６、および１４０８のうちの１つ以上は、メモリ１４１０の内部に存在できることを理解すべきである。
【０１１２】
図１５に目を向けると、ワイヤレス通信環境においてリバースリンクによって通信するために用いられる電力レベルを調整することを可能にするシステム１５００が説明されている。システム１５００は、例えば、移動デバイス内に存在することができる。描写したように、システム１５００は、プロセッサ、ソフトウェア、またはこれらの組み合わせ（例えば、ファームウェア）によって実現される機能を表すことができる機能ブロックを含む。システム１５００は、リバースリンク送信を制御することを容易にする電気コンポーネントの論理グループ１５０２を含む。論理グループ１５０２は、ＱｏＳに依存する割当値に基づいてデルタ値の範囲を確立する電気コンポーネント１５０４を含むことができる。例えば、ＱｏＳに依存する割当値は、ＱｏＳクラスごとに割り当てられるMaXDeltaReduction値とすることができる。さらに、論理グループ１５０２は、デルタ値に対する調整を評価する電気コンポーネント１５０６を含むことができ、調整はデルタ値の範囲内である。例えば、調整は受信したＯＳＩ表示に基づくことができる。さらに、論理グループ１５０２は、電力スペクトル密度を設定する電気コンポーネント１５０８を備えることができる。例えば、送信デルタ値に対する調整を評価した後に、リバースリンクトラヒックチャネルのＰＳＤは、とりわけ、新しいデルタ値に基づいて設定できる。さらに、システム１５００はメモリ１５１０を含むことができ、メモリ１５１０は、電気コンポーネント１５０４、１５０６および１５０８に関係付けられた機能を実行する命令を保持する。メモリ１５１０の外部にあるように示しているが、電気コンポーネント１５０４、１５０６、および１５０８は、メモリ１５１０の内部に存在できることを理解すべきである。
【０１１３】
上述したものは1つ以上の実施形態の例を含む。もちろん、上述の実施形態を記述する目的のために、コンポーネントまたは方法のすべての考えられる組み合わせを記述することは可能ではないが、当業者の１人は、さまざまな実施形態の多くのさらなる組み合わせおよび置換が可能であることを認識することができる。したがって、記述した実施形態は、すべてのそのような変更、修正および変形を包含することが意図されており、これらは特許請求の範囲の精神および範囲内にある。その上、用語“含む”が詳細な説明または特許請求の範囲のどちらかで使用される限り、そのような用語は、用語“具備する”が請求項中で移行語として使用されるときに解釈されるように用語“具備する”とある意味類似して包括的であることが意図されている。
【図１】
2010512068.tif 000004
【図２】
2010512068.tif 000005
【図３】
2010512068.tif 000006
【図４】
2010512068.tif 000007
【図５】
2010512068.tif 000008
【図６】
2010512068.tif 000009
【図７】
2010512068.tif 000010
【図８】
2010512068.tif 000011
【図９】
2010512068.tif 000012
【図１０】
2010512068.tif 000013
【図１１】
2010512068.tif 000014
【図１２】
2010512068.tif 000015
【図１３】
2010512068.tif 000016
【図１４】
2010512068.tif 000017
【図１５】
2010512068.tif 000018
【国際調査報告】
2010512068.tif 000019
2010512068.tif 000020
2010512068.tif 000021